(57)【要約】  プラズマディスプレイパネルに３Ｄ画像を表示する際の駆動時間を短縮しつつ良好なコントラストを実現する。そのために、初期化期間に上り傾斜波形電圧と下り傾斜波形電圧を走査電極に印加する全セル初期化サブフィールドを１フィールドの先頭サブフィールドにするとともに、右目用フィールドと左目用フィールドとを交互に繰り返す３Ｄ駆動と２Ｄ駆動とのいずれかでプラズマディスプレイパネルを駆動し、３Ｄ駆動時における全セル初期化期間の上り傾斜波形電圧および下り傾斜波形電圧の少なくとも一方を２Ｄ駆動時における全セル初期化期間の同傾斜波形電圧よりも急峻な勾配で発生し、右目用フィールドを表示するときにオンとなる右目用タイミング信号および左目用フィールドを表示するときにオンとなる左目用タイミング信号が３Ｄ駆動時の全セル初期化期間はともにオフとなるようにシャッタ開閉用タイミング信号を発生する。
2011111388.tif 000002
【特許請求の範囲】
【請求項１】
走査電極と維持電極とからなる表示電極対を有する放電セルを複数備えたプラズマディスプレイパネルと、
初期化期間と書込み期間と維持期間とを有するサブフィールドを複数用いて１フィールドを構成し、前記初期化期間において上昇する上り傾斜波形電圧および下降する下り傾斜波形電圧を前記走査電極に印加する全セル初期化期間を有する全セル初期化サブフィールドを１フィールドの先頭サブフィールドにするとともに、右目用画像信号および左目用画像信号を有する３Ｄ画像信号にもとづき前記右目用画像信号を表示する右目用フィールドと前記左目用画像信号を表示する左目用フィールドとを交互に繰り返して前記プラズマディスプレイパネルに３Ｄ画像を表示する３Ｄ駆動と、２Ｄ画像信号にもとづき前記プラズマディスプレイパネルに２Ｄ画像を表示する２Ｄ駆動とのいずれかで前記プラズマディスプレイパネルを駆動する駆動回路と、
入力信号にもとづき前記２Ｄ画像信号および前記３Ｄ画像信号のいずれが入力されているのかを判別し、その判別結果にもとづき前記２Ｄ画像または前記３Ｄ画像を前記プラズマディスプレイパネルに表示するために前記駆動回路を制御する制御信号と、前記プラズマディスプレイパネルに前記３Ｄ画像の前記右目用フィールドを表示するときにオンとなり前記左目用フィールドを表示するときにオフとなる右目用タイミング信号と、前記３Ｄ画像の前記左目用フィールドを表示するときにオンとなり前記右目用フィールドを表示するときにオフとなる左目用タイミング信号とからなるシャッタ開閉用タイミング信号とを発生する制御信号発生回路と、
を備え、
前記駆動回路は、前記３Ｄ駆動時における全セル初期化期間の前記上り傾斜波形電圧の傾斜を、前記２Ｄ駆動時における全セル初期化期間の前記上り傾斜波形電圧の傾斜よりも急峻な勾配で発生し、
前記制御信号発生回路は、前記３Ｄ駆動時における全セル初期化期間には前記右目用タイミング信号および前記左目用タイミング信号がともにオフになる前記シャッタ開閉用タイミング信号を発生する
ことを特徴とするプラズマディスプレイ装置。
【請求項２】
走査電極と維持電極とからなる表示電極対を有する放電セルを複数備えたプラズマディスプレイパネルと、
初期化期間と書込み期間と維持期間とを有するサブフィールドを複数用いて１フィールドを構成し、前記初期化期間において上昇する上り傾斜波形電圧および下降する下り傾斜波形電圧を前記走査電極に印加する全セル初期化期間を有する全セル初期化サブフィールドを１フィールドの先頭サブフィールドにするとともに、右目用画像信号および左目用画像信号を有する３Ｄ画像信号にもとづき前記右目用画像信号を表示する右目用フィールドと前記左目用画像信号を表示する左目用フィールドとを交互に繰り返して前記プラズマディスプレイパネルに３Ｄ画像を表示する３Ｄ駆動と、２Ｄ画像信号にもとづき前記プラズマディスプレイパネルに２Ｄ画像を表示する２Ｄ駆動とのいずれかで前記プラズマディスプレイパネルを駆動する駆動回路と、
入力信号にもとづき前記２Ｄ画像信号および前記３Ｄ画像信号のいずれが入力されているのかを判別し、その判別結果にもとづき前記２Ｄ画像または前記３Ｄ画像を前記プラズマディスプレイパネルに表示するために前記駆動回路を制御する制御信号と、前記プラズマディスプレイパネルに前記３Ｄ画像の前記右目用フィールドを表示するときにオンとなり前記左目用フィールドを表示するときにオフとなる右目用タイミング信号と、前記３Ｄ画像の前記左目用フィールドを表示するときにオンとなり前記右目用フィールドを表示するときにオフとなる左目用タイミング信号とからなるシャッタ開閉用タイミング信号とを発生する制御信号発生回路と、
を備え、
前記駆動回路は、前記３Ｄ駆動時における全セル初期化期間の前記下り傾斜波形電圧の傾斜を、前記２Ｄ駆動時における全セル初期化期間の前記下り傾斜波形電圧の傾斜よりも急峻な勾配で発生し、
前記制御信号発生回路は、前記３Ｄ駆動時における全セル初期化期間には前記右目用タイミング信号および前記左目用タイミング信号がともにオフになる前記シャッタ開閉用タイミング信号を発生する
ことを特徴とするプラズマディスプレイ装置。
【請求項３】
走査電極と維持電極とからなる表示電極対を有する放電セルを複数備えたプラズマディスプレイパネルと、
初期化期間と書込み期間と維持期間とを有するサブフィールドを複数用いて１フィールドを構成し、前記初期化期間において上昇する上り傾斜波形電圧および下降する下り傾斜波形電圧を前記走査電極に印加する全セル初期化期間を有する全セル初期化サブフィールドを１フィールドの先頭サブフィールドにするとともに、右目用画像信号および左目用画像信号を有する３Ｄ画像信号にもとづき前記右目用画像信号を表示する右目用フィールドと前記左目用画像信号を表示する左目用フィールドとを交互に繰り返して前記プラズマディスプレイパネルに３Ｄ画像を表示する３Ｄ駆動と、２Ｄ画像信号にもとづき前記プラズマディスプレイパネルに２Ｄ画像を表示する２Ｄ駆動とのいずれかで前記プラズマディスプレイパネルを駆動する駆動回路と、
入力信号にもとづき前記２Ｄ画像信号および前記３Ｄ画像信号のいずれが入力されているのかを判別し、その判別結果にもとづき前記２Ｄ画像または前記３Ｄ画像を前記プラズマディスプレイパネルに表示するために前記駆動回路を制御する制御信号と、前記プラズマディスプレイパネルに前記３Ｄ画像の前記右目用フィールドを表示するときにオンとなり前記左目用フィールドを表示するときにオフとなる右目用タイミング信号と、前記３Ｄ画像の前記左目用フィールドを表示するときにオンとなり前記右目用フィールドを表示するときにオフとなる左目用タイミング信号とからなるシャッタ開閉用タイミング信号とを発生する制御信号発生回路と、
を備え、
前記駆動回路は、前記３Ｄ駆動時における全セル初期化期間の前記上り傾斜波形電圧の傾斜を、前記２Ｄ駆動時における全セル初期化期間の前記上り傾斜波形電圧の傾斜よりも急峻な勾配で発生し、前記３Ｄ駆動時における全セル初期化期間の前記下り傾斜波形電圧の傾斜を、前記２Ｄ駆動時における全セル初期化期間の前記下り傾斜波形電圧の傾斜よりも急峻な勾配で発生し、
前記制御信号発生回路は、前記３Ｄ駆動時における全セル初期化期間には前記右目用タイミング信号および前記左目用タイミング信号がともにオフになる前記シャッタ開閉用タイミング信号を発生する
ことを特徴とするプラズマディスプレイ装置。
【請求項４】
走査電極と維持電極とからなる表示電極対を有する放電セルを複数備えたプラズマディスプレイパネルと、
初期化期間と書込み期間と維持期間とを有するサブフィールドを複数用いて１フィールドを構成し、前記初期化期間において上昇する上り傾斜波形電圧および下降する下り傾斜波形電圧を前記走査電極に印加する全セル初期化期間を有する全セル初期化サブフィールドを１フィールドの先頭サブフィールドにするとともに、右目用画像信号および左目用画像信号を有する３Ｄ画像信号にもとづき前記右目用画像信号を表示する右目用フィールドと前記左目用画像信号を表示する左目用フィールドとを交互に繰り返して前記プラズマディスプレイパネルに３Ｄ画像を表示する３Ｄ駆動と、２Ｄ画像信号にもとづき前記プラズマディスプレイパネルに２Ｄ画像を表示する２Ｄ駆動とのいずれかで前記プラズマディスプレイパネルを駆動する駆動回路と、
入力信号にもとづき前記２Ｄ画像信号および前記３Ｄ画像信号のいずれが入力されているのかを判別し、その判別結果にもとづき前記２Ｄ画像または前記３Ｄ画像を前記プラズマディスプレイパネルに表示するために前記駆動回路を制御する制御信号と、前記プラズマディスプレイパネルに前記３Ｄ画像の前記右目用フィールドを表示するときにオンとなり前記左目用フィールドを表示するときにオフとなる右目用タイミング信号と、前記３Ｄ画像の前記左目用フィールドを表示するときにオンとなり前記右目用フィールドを表示するときにオフとなる左目用タイミング信号とからなるシャッタ開閉用タイミング信号とを発生する制御信号発生回路と、
を有するプラズマディスプレイ装置、および、
それぞれ独立にシャッタの開閉が可能な右目用シャッタおよび左目用シャッタを有し、前記制御信号発生回路で発生した前記シャッタ開閉用タイミング信号でシャッタの開閉が制御されるシャッタ眼鏡を備え、
前記駆動回路は、前記３Ｄ駆動時における全セル初期化期間の前記上り傾斜波形電圧および前記下り傾斜波形電圧の少なくとも一方を、前記２Ｄ駆動時における全セル初期化期間の同傾斜波形電圧よりも急峻な勾配で発生し、
前記制御信号発生回路は、前記３Ｄ駆動時における全セル初期化期間に前記右目用シャッタおよび前記左目用シャッタがともに閉じた状態となる前記シャッタ開閉用タイミング信号を発生する
ことを特徴とするプラズマディスプレイシステム。
【請求項５】
走査電極と維持電極とからなる表示電極対を有する放電セルを複数備えたプラズマディスプレイパネルの駆動方法であって、
初期化期間と書込み期間と維持期間とを有するサブフィールドを複数用いて１フィールドを構成し、前記初期化期間において上昇する上り傾斜波形電圧および下降する下り傾斜波形電圧を前記走査電極に印加する全セル初期化期間を有する全セル初期化サブフィールドを１フィールドの先頭サブフィールドにするとともに、右目用画像信号および左目用画像信号を有する３Ｄ画像信号にもとづき前記右目用画像信号を表示する右目用フィールドと前記左目用画像信号を表示する左目用フィールドとを交互に繰り返して前記プラズマディスプレイパネルに３Ｄ画像を表示する３Ｄ駆動と、２Ｄ画像信号にもとづき前記プラズマディスプレイパネルに２Ｄ画像を表示する２Ｄ駆動とのいずれかで前記プラズマディスプレイパネルを駆動し、
前記３Ｄ駆動時における全セル初期化期間の前記上り傾斜波形電圧および前記下り傾斜波形電圧の少なくとも一方を、前記２Ｄ駆動時における全セル初期化期間の同傾斜波形電圧よりも急峻な勾配で発生する
ことを特徴とするプラズマディスプレイパネルの駆動方法。
【請求項６】
走査電極と維持電極とからなる表示電極対を有する放電セルを複数備えたプラズマディスプレイパネルと、
初期化期間と書込み期間と維持期間とを有するサブフィールドを複数用いて１フィールドを構成し、前記初期化期間において上昇する上り傾斜波形電圧および下降する下り傾斜波形電圧を前記走査電極に印加する全セル初期化期間を有する全セル初期化サブフィールドを１フィールドの先頭サブフィールドにするとともに、右目用画像信号および左目用画像信号を有する３Ｄ画像信号にもとづき前記右目用画像信号を表示する右目用フィールドと前記左目用画像信号を表示する左目用フィールドとを交互に繰り返して前記プラズマディスプレイパネルに３Ｄ画像を表示する３Ｄ駆動と、２Ｄ画像信号にもとづき前記プラズマディスプレイパネルに２Ｄ画像を表示する２Ｄ駆動とのいずれかで前記プラズマディスプレイパネルを駆動する駆動回路と、
入力信号にもとづき前記２Ｄ画像信号および前記３Ｄ画像信号のいずれが入力されているのかを判別し、その判別結果にもとづき前記２Ｄ画像または前記３Ｄ画像を前記プラズマディスプレイパネルに表示するために前記駆動回路を制御する制御信号と、前記プラズマディスプレイパネルに前記３Ｄ画像の前記右目用フィールドを表示するときにオンとなり前記左目用フィールドを表示するときにオフとなる右目用タイミング信号と、前記３Ｄ画像の前記左目用フィールドを表示するときにオンとなり前記右目用フィールドを表示するときにオフとなる左目用タイミング信号とからなるシャッタ開閉用タイミング信号とを発生する制御信号発生回路と、を備え、
前記駆動回路が、前記３Ｄ駆動時における全セル初期化期間の前記上り傾斜波形電圧および前記下り傾斜波形電圧の少なくとも一方を、前記２Ｄ駆動時における全セル初期化期間の同傾斜波形電圧よりも急峻な勾配で発生するプラズマディスプレイ装置に表示される画像の観測に用いられ、それぞれ独立にシャッタの開閉が可能な右目用シャッタおよび左目用シャッタを有するシャッタ眼鏡の制御方法であって、
前記３Ｄ駆動時における全セル初期化期間は前記右目用シャッタおよび前記左目用シャッタがともに閉じた状態になるように前記シャッタ眼鏡を制御することを特徴とするプラズマディスプレイ装置用シャッタ眼鏡の制御方法。
【発明の詳細な説明】
【技術分野】
【０００１】
本発明は、プラズマディスプレイパネルに交互に表示される右目用画像と左目用画像とからなる立体画像をシャッタ眼鏡を用いて立体視することができるプラズマディスプレイ装置、プラズマディスプレイシステム、プラズマディスプレイパネルの駆動方法およびプラズマディスプレイ装置用シャッタ眼鏡の制御方法に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【０００９】
パネルにおける画像表示品質を高める上で重要な要因の１つにコントラストの向上がある。そして、サブフィールド法の１つとして、階調表示に関係しない発光を極力減らしコントラスト比を向上させる駆動方法が開示されている。【００１０】
この駆動方法では、１フィールドを構成する複数のサブフィールドのうち、１つのサブフィールドの初期化期間では全ての放電セルに初期化放電を発生する初期化動作を行う。また、他のサブフィールドの初期化期間では直前のサブフィールドの維持期間で維持放電を発生した放電セルに対して選択的に初期化放電を発生する初期化動作を行う。【００１１】
維持放電を発生しない黒を表示する領域の輝度（以下、「黒輝度」と略記する）は画像の表示に関係のない発光、例えば、初期化放電によって生じる発光等によって変化する。そして、上述の駆動方法では、黒を表示する領域における発光は全ての放電セルに初期化動作を行うときの微弱発光だけとなる。これにより、黒輝度を低減してコントラストの高い画像を表示することが可能になる（例えば、特許文献１参照）。【００１２】
また、徐々に電圧が増加する緩やかな傾斜部分を持つ立ち上がり部と、徐々に電圧が減少する緩やかな傾斜部分を持つ立ち下がり部とを有する初期化波形を放電セルに印加する初期化期間を設け、かつ、１フィールドの任意の初期化期間の直前に、画像表示領域にある全ての放電セルを対象として維持電極と走査電極の間に微弱放電を発生する期間を設けることで、黒輝度を下げて黒の視認性を向上する技術が開示されている（例えば、特許文献２参照）。【００１３】
立体視が可能な３次元（３  Ｄｉｍｅｎｓｉｏｎ：以下「３Ｄ」と記す）画像（以下、「３Ｄ画像」と記す）をパネルに表示し、３Ｄ画像表示装置としてプラズマディスプレイ装置を用いることが検討されている。【００１４】
１枚の３Ｄ画像は、１枚の右目用画像と１枚の左目用画像とで構成されている。そして、このプラズマディスプレイ装置では、３Ｄ画像をパネルに表示する際には、右目用画像と左目用画像とをパネルに交互に表示する。そして、使用者は、右目用画像を表示するフィールドと左目用画像を表示するフィールドとのそれぞれに同期して左右のシャッタが交互に開閉するシャッタ眼鏡と呼ばれる特殊な眼鏡を用いて、パネルに表示されている３Ｄ画像を観賞する（例えば、特許文献３参照）。【００１５】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、パネルに表示される３Ｄ画像を立体視することができる。【００１６】
１枚の３Ｄ画像は、１枚の右目用画像と１枚の左目用画像とで構成される。そのため、３Ｄ画像を表示する際は、単位時間（例えば、１秒間）にパネルに表示される画像の半分が右目用画像となり、残りの半分が左目用画像となる。したがって、１秒間にパネルに表示される３Ｄ画像の数は、フィールド周波数（１秒間に表示されるフィールドの数）の半分となる。そして、単位時間にパネルに表示される画像の数が少なくなると、フリッカと呼ばれる画像のちらつきが見えやすくなる。【００１７】
３Ｄ画像でない画像、すなわち、右目用、左目用の区別がない通常画像（以下、「２Ｄ画像」と記す）をパネルに表示する際は、例えば、フィールド周波数が６０Ｈｚであれば、１秒間に６０枚の画像がパネルに表示される。したがって、単位時間にパネルに表示される３Ｄ画像の数を２Ｄ画像と同じ（例えば、６０枚／秒）にするためには、３Ｄ画像のフィールド周波数を２Ｄ画像の２倍（例えば、１２０Ｈｚ）に設定する必要がある。【００１８】
しかし、フィールド周波数を上げると、１フィールドの時間的な長さは短縮される。例えば、フィールド周波数を６０Ｈｚから１２０Ｈｚにすると、１フィールドの時間的な長さは１６．７ｍｓｅｃから８．３ｍｓｅｃになる。そのため、３Ｄ画像を表示する際にパネルの駆動に要する時間を短縮することが望まれている。
【先行技術文献】
【特許文献】
【００１９】
【特許文献１】特開２０００−２４２２２４号公報
【特許文献２】特開２００４−３７８８３号公報
【特許文献３】特開２０００−１１２４２８号公報
【発明の概要】
【００２０】
本発明は、走査電極と維持電極とからなる表示電極対を有する放電セルを複数備えたパネルと、初期化期間と書込み期間と維持期間とを有するサブフィールドを複数用いて１フィールドを構成し、初期化期間において上昇する上り傾斜波形電圧および下降する下り傾斜波形電圧を走査電極に印加する全セル初期化期間を有する全セル初期化サブフィールドを１フィールドの先頭サブフィールドにするとともに、右目用画像信号および左目用画像信号を有する３Ｄ画像信号にもとづき右目用画像信号を表示する右目用フィールドと左目用画像信号を表示する左目用フィールドとを交互に繰り返してパネルに３Ｄ画像を表示する３Ｄ駆動と、２Ｄ画像信号にもとづきパネルに２Ｄ画像を表示する２Ｄ駆動とのいずれかでパネルを駆動する駆動回路と、入力信号にもとづき２Ｄ画像信号および３Ｄ画像信号のいずれが入力されているのかを判別し、その判別結果にもとづき２Ｄ画像または３Ｄ画像をパネルに表示するために駆動回路を制御する制御信号と、パネルに３Ｄ画像の右目用フィールドを表示するときにオンとなり左目用フィールドを表示するときにオフとなる右目用タイミング信号と、３Ｄ画像の左目用フィールドを表示するときにオンとなり右目用フィールドを表示するときにオフとなる左目用タイミング信号とからなるシャッタ開閉用タイミング信号とを発生する制御信号発生回路と、を備えたプラズマディスプレイ装置であって、駆動回路は、３Ｄ駆動時における全セル初期化期間の上り傾斜波形電圧の傾斜を、２Ｄ駆動時における全セル初期化期間の上り傾斜波形電圧の傾斜よりも急峻な勾配で発生し、制御信号発生回路は、３Ｄ駆動時における全セル初期化期間には右目用タイミング信号および左目用タイミング信号がともにオフになるシャッタ開閉用タイミング信号を発生することを特徴とする。
【００２１】
これにより、３Ｄ画像表示装置として使用可能なプラズマディスプレイ装置において、３Ｄ画像を表示する際のパネルの駆動に要する時間を、２Ｄ画像を表示する際のパネルの駆動に要する時間と比較して短縮しつつ、良好なコントラストの３Ｄ画像を実現することができる。
【００２２】
また、本発明は、走査電極と維持電極とからなる表示電極対を有する放電セルを複数備えたパネルと、初期化期間と書込み期間と維持期間とを有するサブフィールドを複数用いて１フィールドを構成し、初期化期間において上昇する上り傾斜波形電圧および下降する下り傾斜波形電圧を走査電極に印加する全セル初期化期間を有する全セル初期化サブフィールドを１フィールドの先頭サブフィールドにするとともに、右目用画像信号および左目用画像信号を有する３Ｄ画像信号にもとづき右目用画像信号を表示する右目用フィールドと左目用画像信号を表示する左目用フィールドとを交互に繰り返してパネルに３Ｄ画像を表示する３Ｄ駆動と、２Ｄ画像信号にもとづきパネルに２Ｄ画像を表示する２Ｄ駆動とのいずれかでパネルを駆動する駆動回路と、入力信号にもとづき２Ｄ画像信号および３Ｄ画像信号のいずれが入力されているのかを判別し、その判別結果にもとづき２Ｄ画像または３Ｄ画像をパネルに表示するために駆動回路を制御する制御信号と、パネルに３Ｄ画像の右目用フィールドを表示するときにオンとなり左目用フィールドを表示するときにオフとなる右目用タイミング信号と、３Ｄ画像の左目用フィールドを表示するときにオンとなり右目用フィールドを表示するときにオフとなる左目用タイミング信号とからなるシャッタ開閉用タイミング信号とを発生する制御信号発生回路と、を備えたプラズマディスプレイ装置であって、駆動回路は、３Ｄ駆動時における全セル初期化期間の下り傾斜波形電圧の傾斜を、２Ｄ駆動時における全セル初期化期間の下り傾斜波形電圧の傾斜よりも急峻な勾配で発生し、制御信号発生回路は、３Ｄ駆動時における全セル初期化期間には右目用タイミング信号および左目用タイミング信号がともにオフになるシャッタ開閉用タイミング信号を発生することを特徴とする。
【００２３】
これにより、３Ｄ画像表示装置として使用可能なプラズマディスプレイ装置において、３Ｄ画像を表示する際のパネルの駆動に要する時間を、２Ｄ画像を表示する際のパネルの駆動に要する時間と比較して短縮しつつ、良好なコントラストの３Ｄ画像を実現することができる。
【００２４】
また、本発明は、走査電極と維持電極とからなる表示電極対を有する放電セルを複数備えたパネルと、初期化期間と書込み期間と維持期間とを有するサブフィールドを複数用いて１フィールドを構成し、初期化期間において上昇する上り傾斜波形電圧および下降する下り傾斜波形電圧を走査電極に印加する全セル初期化期間を有する全セル初期化サブフィールドを１フィールドの先頭サブフィールドにするとともに、右目用画像信号および左目用画像信号を有する３Ｄ画像信号にもとづき右目用画像信号を表示する右目用フィールドと左目用画像信号を表示する左目用フィールドとを交互に繰り返してパネルに３Ｄ画像を表示する３Ｄ駆動と、２Ｄ画像信号にもとづきパネルに２Ｄ画像を表示する２Ｄ駆動とのいずれかでパネルを駆動する駆動回路と、入力信号にもとづき２Ｄ画像信号および３Ｄ画像信号のいずれが入力されているのかを判別し、その判別結果にもとづき２Ｄ画像または３Ｄ画像をパネルに表示するために駆動回路を制御する制御信号と、パネルに３Ｄ画像の右目用フィールドを表示するときにオンとなり左目用フィールドを表示するときにオフとなる右目用タイミング信号と、３Ｄ画像の左目用フィールドを表示するときにオンとなり右目用フィールドを表示するときにオフとなる左目用タイミング信号とからなるシャッタ開閉用タイミング信号とを発生する制御信号発生回路と、を備えたプラズマディスプレイ装置であって、駆動回路は、３Ｄ駆動時における全セル初期化期間の上り傾斜波形電圧の傾斜を、２Ｄ駆動時における全セル初期化期間の上り傾斜波形電圧の傾斜よりも急峻な勾配で発生し、３Ｄ駆動時における全セル初期化期間の下り傾斜波形電圧の傾斜を、２Ｄ駆動時における全セル初期化期間の下り傾斜波形電圧の傾斜よりも急峻な勾配で発生し、制御信号発生回路は、３Ｄ駆動時における全セル初期化期間には右目用タイミング信号および左目用タイミング信号がともにオフになるシャッタ開閉用タイミング信号を発生することを特徴とする。
【００２５】
これにより、３Ｄ画像表示装置として使用可能なプラズマディスプレイ装置において、３Ｄ画像を表示する際のパネルの駆動に要する時間を、２Ｄ画像を表示する際のパネルの駆動に要する時間と比較して短縮しつつ、良好なコントラストの３Ｄ画像を実現することができる。
【００２６】
また、本発明は、走査電極と維持電極とからなる表示電極対を有する放電セルを複数備えたパネルと、初期化期間と書込み期間と維持期間とを有するサブフィールドを複数用いて１フィールドを構成し、初期化期間において上昇する上り傾斜波形電圧および下降する下り傾斜波形電圧を走査電極に印加する全セル初期化期間を有する全セル初期化サブフィールドを１フィールドの先頭サブフィールドにするとともに、右目用画像信号および左目用画像信号を有する３Ｄ画像信号にもとづき右目用画像信号を表示する右目用フィールドと左目用画像信号を表示する左目用フィールドとを交互に繰り返してパネルに３Ｄ画像を表示する３Ｄ駆動と、２Ｄ画像信号にもとづきパネルに２Ｄ画像を表示する２Ｄ駆動とのいずれかでパネルを駆動する駆動回路と、入力信号にもとづき２Ｄ画像信号および３Ｄ画像信号のいずれが入力されているのかを判別し、その判別結果にもとづき２Ｄ画像または３Ｄ画像をパネルに表示するために駆動回路を制御する制御信号と、パネルに３Ｄ画像の右目用フィールドを表示するときにオンとなり左目用フィールドを表示するときにオフとなる右目用タイミング信号と、３Ｄ画像の左目用フィールドを表示するときにオンとなり右目用フィールドを表示するときにオフとなる左目用タイミング信号とからなるシャッタ開閉用タイミング信号とを発生する制御信号発生回路と、を有するプラズマディスプレイ装置、および、それぞれ独立にシャッタの開閉が可能な右目用シャッタおよび左目用シャッタを有し、制御信号発生回路で発生したシャッタ開閉用タイミング信号でシャッタの開閉が制御されるシャッタ眼鏡を備えたプラズマディスプレイシステムであって、駆動回路は、３Ｄ駆動時における全セル初期化期間の上り傾斜波形電圧および下り傾斜波形電圧の少なくとも一方を、２Ｄ駆動時における全セル初期化期間の同傾斜波形電圧よりも急峻な勾配で発生し、制御信号発生回路は、３Ｄ駆動時における全セル初期化期間に右目用シャッタおよび左目用シャッタがともに閉じた状態となるシャッタ開閉用タイミング信号を発生することを特徴とする。
【００２７】
これにより、３Ｄ画像表示装置として使用可能なプラズマディスプレイ装置を備えたプラズマディスプレイシステムにおいて、３Ｄ画像を表示する際のパネルの駆動に要する時間を、２Ｄ画像を表示する際のパネルの駆動に要する時間と比較して短縮しつつ、良好なコントラストの３Ｄ画像を実現することができる。
【００２８】
また、本発明は、走査電極と維持電極とからなる表示電極対を有する放電セルを複数備えたパネルの駆動方法であって、初期化期間と書込み期間と維持期間とを有するサブフィールドを複数用いて１フィールドを構成し、初期化期間において上昇する上り傾斜波形電圧および下降する下り傾斜波形電圧を走査電極に印加する全セル初期化期間を有する全セル初期化サブフィールドを１フィールドの先頭サブフィールドにするとともに、右目用画像信号および左目用画像信号を有する３Ｄ画像信号にもとづき右目用画像信号を表示する右目用フィールドと左目用画像信号を表示する左目用フィールドとを交互に繰り返してパネルに３Ｄ画像を表示する３Ｄ駆動と、２Ｄ画像信号にもとづきパネルに２Ｄ画像を表示する２Ｄ駆動とのいずれかでパネルを駆動し、３Ｄ駆動時における全セル初期化期間の上り傾斜波形電圧および下り傾斜波形電圧の少なくとも一方を、２Ｄ駆動時における全セル初期化期間の同傾斜波形電圧よりも急峻な勾配で発生することを特徴とする。
【００２９】
この方法により、３Ｄ画像を表示する際のパネルの駆動に要する時間を、２Ｄ画像を表示する際のパネルの駆動に要する時間と比較して短縮しつつ、良好なコントラストの３Ｄ画像を実現することができる。
【００３０】
また、本発明は、走査電極と維持電極とからなる表示電極対を有する放電セルを複数備えたパネルと、初期化期間と書込み期間と維持期間とを有するサブフィールドを複数用いて１フィールドを構成し、初期化期間において上昇する上り傾斜波形電圧および下降する下り傾斜波形電圧を走査電極に印加する全セル初期化期間を有する全セル初期化サブフィールドを１フィールドの先頭サブフィールドにするとともに、右目用画像信号および左目用画像信号を有する３Ｄ画像信号にもとづき右目用画像信号を表示する右目用フィールドと左目用画像信号を表示する左目用フィールドとを交互に繰り返してパネルに３Ｄ画像を表示する３Ｄ駆動と、２Ｄ画像信号にもとづきパネルに２Ｄ画像を表示する２Ｄ駆動とのいずれかでパネルを駆動する駆動回路と、入力信号にもとづき２Ｄ画像信号および３Ｄ画像信号のいずれが入力されているのかを判別し、その判別結果にもとづき２Ｄ画像または３Ｄ画像をパネルに表示するために駆動回路を制御する制御信号と、パネルに３Ｄ画像の右目用フィールドを表示するときにオンとなり左目用フィールドを表示するときにオフとなる右目用タイミング信号と、３Ｄ画像の左目用フィールドを表示するときにオンとなり右目用フィールドを表示するときにオフとなる左目用タイミング信号とからなるシャッタ開閉用タイミング信号とを発生する制御信号発生回路と、を備え、駆動回路が、３Ｄ駆動時における全セル初期化期間の上り傾斜波形電圧および下り傾斜波形電圧の少なくとも一方を、２Ｄ駆動時における全セル初期化期間の同傾斜波形電圧よりも急峻な勾配で発生するプラズマディスプレイ装置に表示される画像の観賞に用いられ、それぞれ独立にシャッタの開閉が可能な右目用シャッタおよび左目用シャッタを有するシャッタ眼鏡の制御方法であって、３Ｄ駆動時における全セル初期化期間は右目用シャッタおよび左目用シャッタがともに閉じた状態になるようにシャッタ眼鏡を制御することを特徴とする。
【００３１】
これにより、３Ｄ画像表示装置として使用可能であり、３Ｄ画像を表示する際のパネルの駆動に要する時間を、２Ｄ画像を表示する際のパネルの駆動に要する時間と比較して短縮したプラズマディスプレイ装置を、この制御方法で制御されるシャッタ眼鏡を用いて観賞することで、パネルに表示される３Ｄ画像を、黒輝度を低減してコントラストを高めた、画像表示品質の高い画像として観賞することができる。
【図面の簡単な説明】
【００３２】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置の回路ブロックおよびプラズマディスプレイシステムの概要を概略的に示す図である。
【図４】図４は、本発明の実施の形態１におけるプラズマディスプレイ装置に用いるパネルの各電極に印加する駆動電圧波形を概略的に示す図である。
【図５】図５は、本発明の実施の形態１におけるプラズマディスプレイ装置に用いるパネルの各電極に印加する駆動電圧波形およびシャッタ眼鏡の開閉動作を概略的に示す波形図である。
【図６】図６は、本発明の実施の形態１におけるプラズマディスプレイ装置に３Ｄ画像を表示する際のサブフィールド構成と右目用シャッタおよび左目用シャッタの開閉状態を概略的に示す図である。
【図７】図７は、本発明の実施の形態１におけるプラズマディスプレイ装置の走査電極駆動回路の一構成例を概略的に示す回路図である。
【発明を実施するための形態】
【００３３】
以下、本発明の実施の形態におけるプラズマディスプレイ装置およびプラズマディスプレイシステムについて、図面を用いて説明する。
【００３４】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３５】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００３６】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００３７】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００３８】
放電空間は隔壁３４によって複数の区画に仕切られており、表示電極対２４とデータ電極３２とが交差する部分に放電セルが形成されている。
【００３９】
そして、これらの放電セルで放電を発生し、放電セルの蛍光体層３５を発光（放電セルを点灯）することにより、パネル１０にカラーの画像を表示する。
【００４０】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００４１】
なお、パネル１０の構造は上述したものに限られるわけではなく、例えばストライプ状の隔壁を備えたものであってもよい。
【００４２】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００４３】
図３は、本発明の実施の形態１におけるプラズマディスプレイ装置４０の回路ブロックおよびプラズマディスプレイシステムの概要を概略的に示す図である。本実施の形態に示すプラズマディスプレイシステムは、プラズマディスプレイ装置４０とシャッタ眼鏡７０とを構成要素に含む。
【００４４】
プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、制御信号発生回路４５、および各回路ブロックに必要な電源を供給する電源回路（図示せず）を備えている。
【００４５】
駆動回路は、３Ｄ画像信号にもとづき右目用フィールドと左目用フィールドとを交互に繰り返してパネル１０に３Ｄ画像を表示する３Ｄ駆動と、右目用、左目用の区別がない２Ｄ画像信号にもとづきパネル１０に２Ｄ画像を表示する２Ｄ駆動とのいずれかでパネル１０を駆動する。また、プラズマディスプレイ装置４０は、使用者が使用するシャッタ眼鏡７０のシャッタの開閉を制御するシャッタ開閉用タイミング信号をシャッタ眼鏡７０に出力するタイミング信号出力部４６を備えている。シャッタ眼鏡７０は、３Ｄ画像をパネル１０に表示するときに使用者が使用するものであり、使用者はシャッタ眼鏡７０を通して３Ｄ画像を観賞することで３Ｄ画像を立体視することができる。
【００４６】
画像信号処理回路４１は、２Ｄ画像信号または３Ｄ画像信号が入力され、入力された画像信号にもとづき、各放電セルに階調値を割り当てる。そして、その階調値を、サブフィールド毎の発光・非発光を示す画像データ（発光・非発光をデジタル信号の「１」、「０」に対応させたデータのこと）に変換する。すなわち、画像信号処理回路４１は、１フィールド毎の画像信号をサブフィールド毎の発光・非発光を示す画像データに変換する。
【００４７】
例えば、入力された画像信号がＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【００４８】
また、入力される画像信号が、右目用画像信号と左目用画像信号とを有する立体視用の３Ｄ画像信号であり、その３Ｄ画像信号をパネル１０に表示する際には、右目用画像信号と左目用画像信号とがフィールド毎に交互に画像信号処理回路４１に入力される。したがって、画像データ変換回路４９は、右目用画像信号を右目用画像データに変換し、左目用画像信号を左目用画像データに変換する。
【００４９】
制御信号発生回路４５は、入力信号にもとづき２Ｄ画像信号および３Ｄ画像信号のいずれがプラズマディスプレイ装置４０に入力されているのかを判別する。そして、その判別結果にもとづき、２Ｄ画像または３Ｄ画像をパネル１０に表示するために、各駆動回路を制御する制御信号を発生する。
【００５０】
具体的には、制御信号発生回路４５は、入力信号のうちの水平同期信号および垂直同期信号の周波数からプラズマディスプレイ装置４０への入力信号が３Ｄ画像信号なのか２Ｄ画像信号なのかを判断する。例えば、水平同期信号が３３．７５ｋＨｚ、垂直同期信号が６０Ｈｚであれば入力信号を２Ｄ画像信号と判断し、水平同期信号が６７．５ｋＨｚ、垂直同期信号が１２０Ｈｚであれば入力信号を３Ｄ画像信号と判断する。そして、水平同期信号および垂直同期信号にもとづき、各回路ブロックの動作を制御する各種の制御信号を発生する。そして、発生した制御信号をそれぞれの回路ブロック（データ電極駆動回路４２、走査電極駆動回路４３、維持電極駆動回路４４、および画像信号処理回路４１等）へ供給する。
【００５１】
また、制御信号発生回路４５は、３Ｄ画像をパネル１０に表示する際に、シャッタ眼鏡７０のシャッタの開閉を制御するシャッタ開閉用タイミング信号をタイミング信号出力部４６に出力する。なお、制御信号発生回路４５は、シャッタ眼鏡７０のシャッタを開く（可視光を透過する状態にする）ときにはシャッタ開閉用タイミング信号をオン（「１」）にし、シャッタ眼鏡７０のシャッタを閉じる（可視光を遮断する状態にする）ときにはシャッタ開閉用タイミング信号をオフ（「０」）にする。
【００５２】
また、シャッタ開閉用タイミング信号は、パネル１０に３Ｄ画像の右目用画像信号にもとづく右目用フィールドを表示するときにオンとなり、左目用画像信号にもとづく左目用フィールドを表示するときにオフとなる右目用タイミング信号（右目シャッタ開閉用タイミング信号）と、３Ｄ画像の左目用画像信号にもとづく左目用フィールドを表示するときにオンとなり、右目用画像信号にもとづく右目用フィールドを表示するときにオフとなる左目用タイミング信号（左目シャッタ開閉用タイミング信号）とからなる。
【００５３】
なお、本実施の形態において、水平同期信号および垂直同期信号の周波数は、何ら上述した数値に限定されるものではない。また、入力信号に２Ｄ画像信号と３Ｄ画像信号とを判別するための判別信号が付加されているときには、制御信号発生回路４５は、その判別信号にもとづき、２Ｄ画像信号および３Ｄ画像信号のいずれが入力されているのかを判別する構成であってもよい。
【００５４】
走査電極駆動回路４３は、初期化波形発生回路、維持パルス発生回路、走査パルス発生回路（図３には示さず）を備え、制御信号発生回路４５から供給される制御信号にもとづいて駆動電圧波形を作成し、走査電極ＳＣ１〜走査電極ＳＣｎのそれぞれに印加する。初期化波形発生回路は、初期化期間に、制御信号にもとづいて走査電極ＳＣ１〜走査電極ＳＣｎに印加する初期化波形を発生する。維持パルス発生回路は、維持期間に、制御信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、制御信号にもとづいて走査電極ＳＣ１〜走査電極ＳＣｎに印加する走査パルスを発生する。
【００５５】
維持電極駆動回路４４は、維持パルス発生回路、および電圧Ｖｅ１、電圧Ｖｅ２を発生する回路を備え（図３には示さず）、制御信号発生回路４５から供給される制御信号にもとづいて駆動電圧波形を作成し、維持電極ＳＵ１〜維持電極ＳＵｎのそれぞれに印加する。維持期間では、制御信号にもとづいて維持パルスを発生し、維持電極ＳＵ１〜維持電極ＳＵｎに印加する。
【００５６】
データ電極駆動回路４２は、２Ｄ画像信号にもとづく画像データ、または、３Ｄ画像信号にもとづく右目用画像データおよび左目用画像データを構成するサブフィールド毎のデータを、各データ電極Ｄ１〜データ電極Ｄｍに対応する信号に変換する。そして、その信号、および制御信号発生回路４５から供給される制御信号にもとづき、各データ電極Ｄ１〜データ電極Ｄｍを駆動する。書込み期間では書込みパルスを発生し、各データ電極Ｄ１〜データ電極Ｄｍに印加する。
【００５７】
タイミング信号出力部４６は、ＬＥＤ（Ｌｉｇｈｔ  Ｅｍｉｔｔｉｎｇ  Ｄｉｏｄｅ）等の発光素子を有する。そして、シャッタ開閉用タイミング信号を、例えば赤外線の信号に変換してシャッタ眼鏡７０に供給する。
【００５８】
シャッタ眼鏡７０は、タイミング信号出力部４６から出力される信号（例えば赤外線の信号）を受信する信号受信部と（図示せず）、右目用シャッタ７２Ｒおよび左目用シャッタ７２Ｌとを有する。右目用シャッタ７２Ｒおよび左目用シャッタ７２Ｌは、それぞれ独立にシャッタの開閉が可能である。そして、シャッタ眼鏡７０は、タイミング信号出力部４６から供給されるシャッタ開閉用タイミング信号にもとづいて右目用シャッタ７２Ｒおよび左目用シャッタ７２Ｌを開閉する。
【００５９】
右目用シャッタ７２Ｒは、右目用タイミング信号がオンのときには開き（可視光を透過し）、オフのときには閉じる（可視光を遮断する）。左目用シャッタ７２Ｌは、左目用タイミング信号がオンのときには開き（可視光を透過し）、オフのときには閉じる（可視光を遮断する）。
【００６０】
右目用シャッタ７２Ｒおよび左目用シャッタ７２Ｌは、例えば液晶を用いて構成することができる。ただし、本発明は、シャッタを構成する材料が何ら液晶に限定されるものではなく、可視光の遮断と透過とを高速に切り換えることができるものであればどのようなものであってもかまわない。
【００６１】
次に、パネル１０を駆動するための駆動電圧波形とその動作の概要について説明する。
【００６２】
本実施の形態におけるプラズマディスプレイ装置４０は、サブフィールド法によってパネル１０を駆動する。サブフィールド法では、１フィールドを時間軸上で複数のサブフィールドに分割し、各サブフィールドに輝度重みをそれぞれ設定する。したがって、各フィールドはそれぞれ複数のサブフィールドを有する。そして、それぞれのサブフィールドは初期化期間、書込み期間および維持期間を有する。
【００６３】
初期化期間では、放電セルに初期化放電を発生し、続く書込み期間における書込み放電に必要な壁電荷を各電極上に形成する初期化動作を行う。
【００６４】
書込み期間では、走査電極２２に走査パルスを印加するとともにデータ電極３２に選択的に書込みパルスを印加し、発光するべき放電セルに選択的に書込み放電を発生して、続く維持期間で維持放電を発生するための壁電荷をその放電セル内に形成する書込み動作を行う。
【００６５】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍率である。
【００６６】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。
【００６７】
また、例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００６８】
こうして、画像信号に応じた組み合わせでサブフィールド毎に各放電セルの発光・非発光を制御して各サブフィールドを選択的に発光することにより、様々な階調を表示し、画像をパネル１０に表示することができる。
【００６９】
また、初期化動作には、直前のサブフィールドの動作にかかわらず放電セルに初期化放電を発生する全セル初期化動作と、直前のサブフィールドの書込み期間で書込み放電を発生し維持期間で維持放電を発生した放電セルだけに選択的に初期化放電を発生する選択初期化動作とがある。全セル初期化動作では上昇する上り傾斜波形電圧および下降する下り傾斜波形電圧を走査電極２２に印加し、画像表示領域内の全ての放電セルに初期化放電を発生する。そして、複数のサブフィールドのうち、１つのサブフィールドの初期化期間においては全セル初期化動作を行い（以下、全セル初期化動作を行う初期化期間を「全セル初期化期間」と記し、全セル初期化期間を有するサブフィールドを「全セル初期化サブフィールド」と記す）、他のサブフィールドの初期化期間においては選択初期化動作を行う（以下、選択初期化動作を行う初期化期間を「選択初期化期間」と記し、選択初期化期間を有するサブフィールドを「選択初期化サブフィールド」と記す）。
【００７０】
そして、本実施の形態では、各フィールドの先頭サブフィールド（フィールドの最初に発生するサブフィールド）のみを全セル初期化サブフィールドとする。すなわち、先頭サブフィールド（サブフィールドＳＦ１）の初期化期間では全セル初期化動作を行い、他のサブフィールドの初期化期間では選択初期化動作を行う。これにより、少なくとも１フィールドに１回は全ての放電セルに初期化放電を発生することができ、全セル初期化動作以降の書込み動作を安定化することができる。また、画像の表示に関係のない発光はサブフィールドＳＦ１における全セル初期化動作の放電にともなう発光のみとなる。したがって、維持放電を発生しない黒を表示する領域の輝度である黒輝度は全セル初期化動作における微弱発光だけとなり、パネル１０にコントラストの高い画像を表示することが可能となる。
【００７１】
しかし、本実施の形態は、１フィールドを構成するサブフィールドの数や各サブフィールドの輝度重みが上述した数値に限定されるものではない。また、画像信号等にもとづいてサブフィールド構成を切り換える構成であってもよい。
【００７２】
なお、本実施の形態において、プラズマディスプレイ装置４０に入力される画像信号は、２Ｄ画像信号、または３Ｄ画像信号であり、プラズマディスプレイ装置４０は、それぞれの画像信号に応じてパネル１０を駆動する。まず、２Ｄ画像信号がプラズマディスプレイ装置４０に入力されたときにパネル１０の各電極に印加する駆動電圧波形を説明する。次に、３Ｄ画像信号がプラズマディスプレイ装置４０に入力されたときにパネル１０の各電極に印加する駆動電圧波形を説明する。
【００７３】
図４は、本発明の実施の形態１におけるプラズマディスプレイ装置に用いるパネル１０の各電極に印加する駆動電圧波形を概略的に示す図である。図４には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００７４】
また、図４には、サブフィールドＳＦ１とサブフィールドＳＦ２との２つのサブフィールドの駆動電圧波形を示している。サブフィールドＳＦ１は全セル初期化動作を行うサブフィールドであり、サブフィールドＳＦ２は選択初期化動作を行うサブフィールドである。したがって、サブフィールドＳＦ１とサブフィールドＳＦ２とでは、初期化期間に走査電極２２に印加する駆動電圧の波形形状が異なる。なお、他のサブフィールドにおける駆動電圧波形は、維持期間における維持パルスの発生数が異なる以外はサブフィールドＳＦ２の駆動電圧波形とほぼ同様である。
【００７５】
なお、本実施の形態におけるプラズマディスプレイ装置４０は、２Ｄ画像信号によってパネル１０を駆動する際には、１フィールドを８のサブフィールド（サブフィールドＳＦ１、サブフィールドＳＦ２、・・・、サブフィールドＳＦ８）で構成し、サブフィールドＳＦ１〜サブフィールドＳＦ８の各サブフィールドにそれぞれ（１、２、４、８、１６、３２、６４、１２８）の輝度重みを設定する例を説明する。
【００７６】
このように、本実施の形態では、２Ｄ画像信号によってパネル１０を駆動する際には、フィールドの最初に発生するサブフィールドＳＦ１を輝度重みの最も小さいサブフィールドとし、それ以降は輝度重みが順次大きくなるように各サブフィールドに輝度重みを設定し、フィールドの最後に発生するサブフィールドＳＦ８を輝度重みの最も大きいサブフィールドとする。
【００７７】
なお、本実施の形態は、１フィールドを構成するサブフィールドの数や各サブフィールドの輝度重みが上記の値に限定されるものではない。
【００７８】
まず、全セル初期化サブフィールドであるサブフィールドＳＦ１について説明する。
【００７９】
まず、サブフィールドＳＦ１について説明する。
【００８０】
全セル初期化動作を行うサブフィールドＳＦ１の初期化期間の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２に向かって緩やかに（例えば、１．３Ｖ／μｓｅｃの勾配で）上昇する第１の上り傾斜波形電圧（以下、「ランプ電圧Ｌ１」と記す）を印加する。電圧Ｖｉ１は、維持電極ＳＵ１〜維持電極ＳＵｎに対して放電開始電圧よりも低い電圧に設定し、電圧Ｖｉ２は、放電開始電圧を超える電圧に設定する。
【００８１】
このランプ電圧Ｌ１が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００８２】
サブフィールドＳＦ１の初期化期間の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに（例えば、−２．５Ｖ／μｓｅｃの勾配で）下降する第１の下り傾斜波形電圧（以下、「ランプ電圧Ｌ２」と記す）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００８３】
このランプ電圧Ｌ２を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。
【００８４】
以上により、サブフィールドＳＦ１の初期化期間における初期化動作、すなわち、全ての放電セルで強制的に初期化放電を発生する全セル初期化動作が終了し、全ての放電セルにおいて、続く書込み動作に必要な壁電荷が各電極上に形成される。
【００８５】
続くサブフィールドＳＦ１の書込み期間では、維持電極ＳＵ１〜維持電極ＳＵｎに電圧Ｖｅ２を印加し、走査電極ＳＣ１〜走査電極ＳＣｎのそれぞれには電圧Ｖｃ（Ｖｃ＝Ｖａ＋Ｖｓｃｎ）を印加する。
【００８６】
次に、最初に書込み動作を行う１行目の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの正極性の書込みパルスを印加する。
【００８７】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００８８】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【００８９】
これにより、データ電極Ｄｋと走査電極ＳＣ１との間に発生する放電を引き金にして、データ電極Ｄｋと交差する領域にある維持電極ＳＵ１と走査電極ＳＣ１との間に放電が発生する。こうして、走査パルスと書込みパルスとが同時に印加された放電セル（発光するべき放電セル）に書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００９０】
このようにして、１行目の放電セルにおける書込み動作が終了する。なお、書込みパルスを印加しなかったデータ電極３２と走査電極ＳＣ１との交差部の電圧は放電開始電圧を超えないので、書込み放電は発生しない。
【００９１】
次に、２行目の走査電極ＳＣ２に走査パルスを印加するとともに、２行目に発光するべき放電セルに対応するデータ電極Ｄｋに書込みパルスを印加し、２行目の放電セルにおける書込み動作を行う。
【００９２】
以上の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【００９３】
続くサブフィールドＳＦ１の維持期間では、まず維持電極ＳＵ１〜維持電極ＳＵｎにベース電位となる電圧０（Ｖ）を印加するとともに走査電極ＳＣ１〜走査電極ＳＣｎに正の電圧Ｖｓの維持パルスを印加する。
【００９４】
この維持パルスの印加により、書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００９５】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、書込み期間において書込み放電が発生しなかった放電セルでは維持放電は発生しない。
【００９６】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。直前に維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【００９７】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルで維持放電が継続して発生する。
【００９８】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、ベース電位である電圧０（Ｖ）から電圧Ｖｅｒｓに向かって緩やかに（例えば、約１０Ｖ／μｓｅｃの勾配で）上昇する傾斜波形電圧（以下、「消去ランプ電圧Ｌ３」と記す）を走査電極ＳＣ１〜走査電極ＳＣｎに印加する。
【００９９】
走査電極ＳＣ１〜走査電極ＳＣｎへ印加する消去ランプ電圧Ｌ３が放電開始電圧を超えて上昇する間に、維持放電を発生した放電セルに微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電圧を残したまま、走査電極ＳＣｉおよび維持電極ＳＵｉ上の壁電圧が弱められる。すなわち、放電セル内における不要な壁電荷が消去される。
【０１００】
走査電極ＳＣ１〜走査電極ＳＣｎに印加する電圧が電圧Ｖｅｒｓに到達したら、走査電極ＳＣ１〜走査電極ＳＣｎへの印加電圧を電圧０（Ｖ）まで下降する。こうして、サブフィールドＳＦ１の維持期間における維持動作が終了する。
【０１０１】
以上により、サブフィールドＳＦ１が終了する。
【０１０２】
選択初期化動作を行うサブフィールドＳＦ２の初期化期間では、サブフィールドＳＦ１における初期化期間の前半部を省略した駆動電圧波形を各電極に印加する選択初期化動作を行う。
【０１０３】
サブフィールドＳＦ２の初期化期間では、維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から負の電圧Ｖｉ４に向かってランプ電圧Ｌ２と同じ勾配（例えば、約−２．５Ｖ／μｓｅｃ）で下降する傾斜波形電圧（以下、「ランプ電圧Ｌ４」と記す）を印加する。電圧Ｖｉ４は、維持電極ＳＵ１〜維持電極ＳＵｎに対して放電開始電圧を超える電圧に設定する。
【０１０４】
このランプ電圧Ｌ４を走査電極ＳＣ１〜走査電極ＳＣｎに印加する間に、直前のサブフィールド（図４では、サブフィールドＳＦ１）の維持期間に維持放電を発生した放電セルでは微弱な初期化放電が発生する。そして、この初期化放電により、走査電極ＳＣｉ上および維持電極ＳＵｉ上の壁電圧が弱められる。また、データ電極Ｄｋ上には、直前のサブフィールドの維持期間に発生した維持放電によって十分な正の壁電圧が蓄積されているので、この壁電圧の過剰な部分が放電され、データ電極Ｄｋ上の壁電圧は書込み動作に適した壁電圧に調整される。
【０１０５】
一方、直前のサブフィールド（サブフィールドＳＦ１）の維持期間に維持放電を発生しなかった放電セルでは、初期化放電は発生せず、それ以前の壁電圧が保たれる。
【０１０６】
このように、サブフィールドＳＦ２における初期化動作は、直前のサブフィールドの書込み期間で書込み動作を行った放電セル、すなわち、直前のサブフィールドの維持期間に維持放電を発生した放電セルで選択的に初期化放電を発生する選択初期化動作となる。
【０１０７】
以上により、サブフィールドＳＦ２の初期化期間における初期化動作、すなわち、選択初期化動作が終了する。
【０１０８】
なお、このランプ電圧Ｌ４は、ランプ電圧Ｌ２と同様の働きを有するので、本実施の形態では、ランプ電圧Ｌ４も第１下り傾斜波形電圧とする。
【０１０９】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【０１１０】
続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【０１１１】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持期間に発生する維持パルスの数を除き、サブフィールドＳＦ２と同様の駆動電圧波形を各電極に印加する。
【０１１２】
以上が、本実施の形態においてパネル１０の各電極に印加する駆動電圧波形の概要である。
【０１１３】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｓ＝１９０（Ｖ）、電圧Ｖｅｒｓ＝１９０（Ｖ）、電圧Ｖｅ１＝１２５（Ｖ）、電圧Ｖｅ２＝１３０（Ｖ）、電圧Ｖｄ＝６０（Ｖ）に設定している。また、電圧Ｖｃは、負の電圧Ｖａ＝−１８０（Ｖ）に正の電圧Ｖｓｃｎ＝１４５（Ｖ）を重畳する（Ｖｃ＝Ｖａ＋Ｖｓｃｎ）ことで発生することができ、その場合、電圧Ｖｃ＝−３５（Ｖ）となる。
【０１１４】
なお、上述した電圧値や傾斜波形電圧における勾配等の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１１５】
次に、３Ｄ画像信号がプラズマディスプレイ装置４０に入力されたときにパネル１０の各電極に印加する駆動電圧波形を、シャッタ眼鏡７０におけるシャッタの開閉動作を交えて説明する。
【０１１６】
図５は、本発明の実施の形態１におけるプラズマディスプレイ装置４０に用いるパネル１０の各電極に印加する駆動電圧波形およびシャッタ眼鏡７０の開閉動作を概略的に示す波形図である。
【０１１７】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、図５には、右目用シャッタ７２Ｒおよび左目用シャッタ７２Ｌの開閉動作を示す。また、図５には４つのフィールド（フィールドＦ１〜フィールドＦ４）を示す。
【０１１８】
３Ｄ画像信号は、右目用画像信号と左目用画像信号とをフィールド毎に交互に繰り返す立体視用の画像信号である。そして、プラズマディスプレイ装置４０は、３Ｄ画像信号が入力されたときには、右目用画像信号を表示する右目用フィールドと、左目用画像信号を表示する左目用フィールドとを交互に繰り返して右目用画像と左目用画像とを交互にパネル１０に表示する。例えば、図５に示す４つのフィールドのうち、フィールドＦ１、フィールドＦ３は右目用フィールドであり、右目用画像信号をパネル１０に表示する。フィールドＦ２、フィールドＦ４は左目用フィールドであり、左目用画像信号をパネル１０に表示する。こうして、プラズマディスプレイ装置４０は、右目用画像および左目用画像からなる立体視用の３Ｄ画像をパネル１０に表示する。
【０１１９】
シャッタ眼鏡７０を通してパネル１０に表示される３Ｄ画像を観賞する使用者には、２フィールドで表示される画像（右目用画像および左目用画像）が１枚の３Ｄ画像として認識される。そのため、使用者には、単位時間（例えば、１秒間）にパネル１０に表示される３Ｄ画像の枚数は、フィールド周波数（１秒間に発生するフィールドの数）の半分の数として観測される。
【０１２０】
例えば、パネルに表示される３Ｄ画像のフィールド周波数（１秒間に発生するフィールドの数）が６０Ｈｚであれば、１秒間にパネル１０に表示される右目用画像および左目用画像はそれぞれ３０枚ずつとなるため、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。そこで、本実施の形態では、使用者に３Ｄ画像の動画像が滑らかに観測されるように、フィールド周波数を通常の２倍（例えば、１２０Ｈｚ）に設定し、フィールド周波数が低い画像を表示する際に発生しやすい画像のちらつき（フリッカ）を低減している。
【０１２１】
そして、使用者は、パネル１０に表示される３Ｄ画像を、右目用フィールドおよび左目用フィールドに同期して右目用シャッタ７２Ｒおよび左目用シャッタ７２Ｌをそれぞれ独立に開閉するシャッタ眼鏡７０を通して観賞する。これにより、使用者は、右目用画像を右目だけで観測し、左目用画像を左目だけで観測することができるので、パネル１０に表示される３Ｄ画像を立体視することができる。
【０１２２】
なお、右目用フィールドと左目用フィールドとは、表示する画像信号が異なるだけであり、１つのフィールドを構成するサブフィールドの数、各サブフィールドの輝度重み、サブフィールドの配列等、フィールドの構成は互いに同じである。そこで、以下、「右目用」と「左目用」との区別が必要ない場合には、右目用フィールドおよび左目用フィールドを単にフィールドと略記する。また、右目用画像信号および左目用画像信号を単に画像信号と略記する。また、フィールドの構成のことを、サブフィールド構成とも記す。
【０１２３】
上述したように、本実施の形態におけるプラズマディスプレイ装置４０は、３Ｄ画像信号によってパネル１０を駆動する際に、フリッカ（表示画像がちらついて見える現象のこと）を低減するために、フィールド周波数を、２Ｄ画像信号のときの２倍（例えば、１２０Ｈｚ）にしている。そのため、３Ｄ画像信号をパネル１０に表示する際の１フィールドの期間（例えば、８．３ｍｓｅｃ）は、２Ｄ画像信号をパネル１０に表示する際の１フィールドの期間（例えば、１６．７ｍｓｅｃ）の半分となる。
【０１２４】
そこで、本実施の形態におけるプラズマディスプレイ装置４０は、３Ｄ画像信号によってパネル１０を駆動する際には、２Ｄ画像信号によってパネル１０を駆動する際よりも、１フィールドを構成するサブフィールドの数を少なくする。本実施の形態では、右目用フィールドおよび左目用フィールドをそれぞれ５つのサブフィールド（サブフィールドＳＦ１、サブフィールドＳＦ２、サブフィールドＳＦ３、サブフィールドＳＦ４、サブフィールドＳＦ５）で構成する例を説明する。各サブフィールドは、２Ｄ画像信号によってパネル１０を駆動するときと同様に、初期化期間、書込み期間、維持期間を有する。そして、サブフィールドＳＦ１の初期化期間では全セル初期化動作を行い、他のサブフィールドの初期化期間では選択初期化動作を行う。
【０１２５】
さらに、本実施の形態では、全セル初期化動作時に走査電極２２に印加する傾斜波形電圧を、２Ｄ画像をパネル１０に表示する際の同傾斜波形電圧よりも急峻な勾配で発生する。この動作の詳細は後述する。
【０１２６】
これにより、３Ｄ画像をパネル１０に表示する際（３Ｄ駆動時）の全セル初期化期間を、２Ｄ画像をパネル１０に表示する際（２Ｄ駆動時）の全セル初期化期間よりも短縮する。なお、全セル初期化動作時に走査電極２２に印加する傾斜波形電圧を急峻にすると強い放電が発生して黒輝度が上昇するが、本実施の形態では、この黒輝度の上昇を防止することができる。この理由については後述する。
【０１２７】
また、サブフィールドＳＦ１〜サブフィールドＳＦ５の各サブフィールドはそれぞれ（１６、８、４、２、１）の輝度重みを有する。このように、本実施の形態では、フィールドの最初に発生するサブフィールドＳＦ１を輝度重みの最も大きいサブフィールドとし、それ以降は輝度重みが順次小さくなるように各サブフィールドに輝度重みを設定し、フィールドの最後に発生するサブフィールドＳＦ５を輝度重みの最も小さいサブフィールドとする。
【０１２８】
このように、本実施の形態では、３Ｄ画像信号をパネル１０に表示する際に、１フィールドを構成するサブフィールドの発生順に輝度重みを順次小さくし、各サブフィールドの輝度重みを、１フィールドのうち時間的に後に発生するサブフィールドほど小さくしている。これは、次のような理由による。
【０１２９】
パネル１０で用いられている蛍光体層３５は、その蛍光体を形成する材料に依存した残光特性を有する。この残光とは、放電終了後も蛍光体が発光を持続する現象のことである。そして、残光の強さは、蛍光体の発光時の輝度に比例し、蛍光体が発光したときの輝度が高いほど、残光も強くなる。また、残光は、蛍光体の特性に応じた時定数で減衰し、時間の経過とともに徐々に輝度が低下するが、維持放電を終了した後も数ｍｓｅｃの間は残光が持続するという特性を有する蛍光体材料も存在する。また、蛍光体が発光したときの輝度が高いほど減衰に要する時間も長くなる。
【０１３０】
輝度重みが大きいサブフィールドで生じる発光は輝度重みが小さいサブフィールドで生じる発光よりも輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１３１】
そのため、１フィールドの最終サブフィールドを輝度重みの大きいサブフィールドにすると、最終サブフィールドを輝度重みの小さいサブフィールドにするときと比較して、続くフィールドに漏れ込む残光が増加する。
【０１３２】
右目用フィールドと左目用フィールドとを交互に発生してパネル１０に３Ｄ画像を表示するプラズマディスプレイ装置４０においては、１つのフィールドで発生した残光が続くフィールドに漏れ込むと、その残光は、画像信号とは関係のない不要な発光として使用者に観測されることとなる。この現象を、本実施の形態では、「クロストーク」と呼称する。
【０１３３】
したがって、１つのフィールドから次のフィールドに漏れ込む残光が増加するほど、クロストークは悪化し、３Ｄ画像の立体視は阻害され、プラズマディスプレイ装置４０における画像表示品質は劣化する。なお、この画像表示品質とは、シャッタ眼鏡７０を通して３Ｄ画像を観賞する使用者にとっての画像表示品質のことである。
【０１３４】
１つのフィールドから次のフィールドに漏れ込む残光を弱め、クロストークを低減するためには、輝度重みの大きいサブフィールドを１フィールドの早い時期に発生して強い残光をできるだけ自フィールド内で収束させ、かつ１フィールドの最終サブフィールドを輝度重みの小さいサブフィールドにして次フィールドへの残光の漏れ込みをできるだけ低減すればよい。
【０１３５】
すなわち、３Ｄ画像信号をパネル１０に表示する際のクロストークを抑制するためには、フィールドの最初に輝度重みの最も大きいサブフィールドを発生し、以降、サブフィールドの発生順に輝度重みを小さくし、フィールドの最後のサブフィールドを輝度重みの最も小さいサブフィールドにして、次フィールドへの残光の漏れ込みをできるだけ低減することが望ましい。
【０１３６】
これが、１フィールドを構成する各サブフィールドの輝度重みを、時間的に後に発生するサブフィールドほど小さくなるように設定した理由である。なお、本実施の形態は、１フィールドを構成するサブフィールドの数や各サブフィールドの輝度重みが上記の値に限定されるものではない。例えば、サブフィールドＳＦ１を最も輝度重みの小さいサブフィールドとするとともにサブフィールドＳＦ２を最も輝度重みの大きいサブフィールドとし、サブフィールドＳＦ３以降、順次輝度重みを小さくし、フィールドの最後のサブフィールドを輝度重みが２番目に小さいサブフィールドにする構成であってもよい。
【０１３７】
一方、本実施の形態においては、サブフィールドＳＦ１を全セル初期化サブフィールドとしている。したがって、サブフィールドＳＦ１の初期化期間では、全ての放電セルにおいて、初期化放電を発生し、書込み動作に必要な壁電荷およびプライミング粒子を発生することができる。
【０１３８】
しかしながら、サブフィールドＳＦ１の初期化期間において全セル初期化動作によって発生した壁電荷およびプライミング粒子は、時間の経過とともに徐々に失われていく。そして、壁電荷およびプライミング粒子が不足すると、書込み動作が不安定になる。
【０１３９】
例えば、サブフィールドＳＦ１の全セル初期化動作で初期化放電が発生した後、途中のサブフィールドでは書込み動作が行われず、最終サブフィールドでのみ書込み動作が行われるような放電セルでは、時間の経過とともに壁電荷およびプライミング粒子が徐々に失われ、最終サブフィールドにおける書込み動作が不安定になるおそれがある。
【０１４０】
したがって、１フィールドの期間が３Ｄ駆動時と比較して長い２Ｄ駆動時においては、１フィールドの最終サブフィールドでのみ書込み動作を行う放電セルにおいて、書込み動作が不安定になりやすい。
【０１４１】
しかし、壁電荷およびプライミング粒子は維持放電の発生により補充される。例えば、サブフィールドＳＦ１の維持期間で維持放電が発生した放電セルでは、その維持放電により壁電荷およびプライミング粒子が補充される。
【０１４２】
また、一般的に視聴される動画においては、輝度重みが比較的小さいサブフィールドの方が、輝度重みが比較的大きいサブフィールドよりも維持放電が発生する頻度が高いことが確認されている。
【０１４３】
そのため、１フィールドの期間が３Ｄ駆動時と比較して長い２Ｄ駆動時においては、維持放電の発生頻度が高い輝度重みの小さいサブフィールドを１フィールドの初期に発生し、１フィールドのうち時間的に後に発生するサブフィールドほど輝度重みを大きくしている。こうすることで、２Ｄ駆動時において、１フィールドの初期における維持放電の発生確率を高め、１フィールドの初期に維持放電によって壁電荷およびプライミング粒子が補充される放電セルの数を増加させて、１フィールドの最終サブフィールドにおける書込み動作を安定に行なえるようにしている。
【０１４４】
一方、３Ｄ駆動時には、２Ｄ駆動時と比較して１フィールドの期間が短くなる。したがって、全セル初期化動作から最終サブフィールドの書込み動作までの期間が２Ｄ駆動時と比較して短くなる。したがって、２Ｄ駆動時と比較して、１フィールドの最終サブフィールドでのみ書込み動作を行う放電セルにおいて、比較的安定に書込み動作を行うことができる。そのため、維持放電の発生頻度が低い輝度重みの大きいサブフィールドを１フィールドの初期に発生することができる。
【０１４５】
次に、全セル初期化期間に発生する初期化波形について説明する。本実施の形態では、３Ｄ画像をパネル１０に表示する際の全セル初期化動作に要する期間を、２Ｄ画像をパネル１０に表示するときと比較して、短縮する。そのために、３Ｄ画像をパネル１０に表示する際に、全セル初期化動作において走査電極２２に印加する傾斜波形電圧を、２Ｄ画像をパネル１０に表示する際の同傾斜波形電圧よりも勾配を急峻にして発生する。
【０１４６】
すなわち、全セル初期化サブフィールドであるサブフィールドＳＦ１の初期化期間（全セル初期化期間）の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２に向かって上昇する第２の上り傾斜波形電圧（以下、「ランプ電圧Ｌ１１」と呼称する）を印加する。電圧Ｖｉ１は、維持電極ＳＵ１〜維持電極ＳＵｎに対して放電開始電圧よりも低い電圧に設定し、電圧Ｖｉ２は、放電開始電圧を超える電圧に設定する。そして、本実施の形態では、ランプ電圧Ｌ１１を、ランプ電圧Ｌ１（図４に示した全セル初期化期間のランプ電圧Ｌ１）よりも急峻な勾配で発生する。
【０１４７】
サブフィールドＳＦ１の初期化期間（全セル初期化期間）の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって下降する第２の下り傾斜波形電圧（以下、「ランプ電圧Ｌ１２」と呼称する）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。そして、本実施の形態では、ランプ電圧Ｌ１２を、ランプ電圧Ｌ２（図４に示した全セル初期化期間のランプ電圧Ｌ２）よりも急峻な勾配で発生する。
【０１４８】
なお、本実施の形態では、ランプ電圧Ｌ１１をランプ電圧Ｌ１の２倍の勾配で発生し、ランプ電圧Ｌ１２をランプ電圧Ｌ２の２倍の勾配で発生する。例えば、ランプ電圧Ｌ１の勾配が１．３Ｖ／μｓｅｃのときには、ランプ電圧Ｌ１１の勾配を２．６Ｖ／μｓｅｃとし、ランプ電圧Ｌ２の勾配が−２．５Ｖ／μｓｅｃのときには、ランプ電圧Ｌ１２の勾配を−５．０Ｖ／μｓｅｃとする。
【０１４９】
これにより、３Ｄ画像信号にもとづきパネル１０を駆動する際の全セル初期化期間の長さを、２Ｄ画像信号にもとづきパネル１０を駆動するときの全セル初期化期間の長さと比較して、短縮することが可能となる。
【０１５０】
ただし、全セル初期化動作における傾斜波形電圧の勾配を急峻にすることで、３Ｄ駆動時における全セル初期化動作時には、２Ｄ駆動時における全セル初期化動作時よりも強い発光が発生する。しかし、本実施の形態では、次に説明するようにシャッタ眼鏡７０を制御することで、この発光を、右目用シャッタ７２Ｒおよび左目用シャッタ７２Ｌによって遮り、使用者の目に入らないようにしている。
【０１５１】
次に、シャッタ眼鏡７０の制御について説明する。シャッタ眼鏡７０の右目用シャッタ７２Ｒおよび左目用シャッタ７２Ｌは、タイミング信号出力部４６から出力されシャッタ眼鏡７０で受信されるシャッタ開閉用タイミング信号のオン・オフにもとづき、シャッタの開閉動作が制御される。
【０１５２】
制御信号発生回路４５は、プラズマディスプレイ装置４０の駆動回路が３Ｄ駆動を行っているときは、右目用フィールドの全セル初期化期間および左目用フィールドの全セル初期化期間は右目シャッタ開閉用タイミング信号および左目シャッタ開閉用タイミング信号がともにオフとなるように、シャッタ開閉用タイミング信号を発生する。
【０１５３】
すなわち、右目用フィールド（図５に示す例では、フィールドＦ１およびフィールドＦ３）では、先頭サブフィールドであるサブフィールドＳＦ１の維持期間の開始前に右目用シャッタ７２Ｒが開き、最終サブフィールドであるサブフィールドＳＦ５の維持期間における全ての維持パルスの発生が終了した後に右目用シャッタ７２Ｒが閉じるようにシャッタ開閉用タイミング信号（右目シャッタ開閉用タイミング信号）を発生する。左目用フィールド（図５に示す例では、フィールドＦ２およびフィールドＦ４）では、サブフィールドＳＦ１の維持期間の開始前に左目用シャッタ７２Ｌが開き、サブフィールドＳＦ５の維持期間の維持パルス発生終了後に左目用シャッタ７２Ｌが閉じるようにシャッタ開閉用タイミング信号（左目シャッタ開閉用タイミング信号）を発生する。以下、各フィールドで同様の動作を繰り返す。
【０１５４】
したがって、本実施の形態において、シャッタ眼鏡７０は、右目用フィールドおよび左目用フィールドのいずれのフィールドにおいても、全セル初期化サブフィールド（サブフィールドＳＦ１）の初期化期間（全セル初期化期間）の間、右目用シャッタ７２Ｒおよび左目用シャッタ７２Ｌはともに閉じた状態となる。これにより、全セル初期化動作によって発生する発光が、右目用シャッタ７２Ｒおよび左目用シャッタ７２Ｌによって遮られ、使用者の目に入らない状態となる。これにより、シャッタ眼鏡７０を通して３Ｄ画像を観賞する使用者には、全セル初期化動作による発光が見えなくなり、その発光分の輝度が黒輝度において低減することとなる。
【０１５５】
なお、シャッタ開閉用タイミング信号をどのタイミングでオンからオフにし、オフからオンにするかは、シャッタ眼鏡７０の特性およびフィールドの構成に応じてあらかじめ設定し、制御信号発生回路４５は、あらかじめ設定されたそのタイミングに応じてシャッタ開閉用タイミング信号を発生する。
【０１５６】
こうして、本実施の形態では、パネル１０に３Ｄ画像を表示する際に全セル初期化期間に要する時間を、パネル１０に２Ｄ画像を表示するときよりも短縮しつつ、黒輝度を低減したコントラストの高い３Ｄ画像を使用者が観賞することが可能となる。
【０１５７】
なお、サブフィールドＳＦ２以降の選択初期化サブフィールドにおいて各電極に印加する駆動電圧波形は、維持期間に発生する維持パルスの数が異なるのと、初期化期間に走査電極２２に印加するランプ電圧Ｌ１４をランプ電圧Ｌ４よりも急峻な勾配（ランプ電圧Ｌ１２と同じ勾配、例えば、−５．０Ｖ／μｓｅｃ）で発生する以外は２Ｄ画像信号をパネル１０に表示するときと同様であるので、説明を省略する。
【０１５８】
なお、本実施の形態において、上述した「シャッタを閉じた」状態とは、右目用シャッタ７２Ｒおよび左目用シャッタ７２Ｌが完全に閉じた状態であることに限定されるものではない。また、上述した「シャッタを開いた」状態とは、右目用シャッタ７２Ｒおよび左目用シャッタ７２Ｌが完全に開いた状態であることに限定されるものではない。
【０１５９】
図６は、本発明の実施の形態１におけるプラズマディスプレイ装置４０に３Ｄ画像を表示する際のサブフィールド構成と右目用シャッタ７２Ｒおよび左目用シャッタ７２Ｌの開閉状態を概略的に示す図である。図６には、走査電極ＳＣ１に印加する駆動電圧波形と、シャッタ眼鏡７０の右目用シャッタ７２Ｒおよび左目用シャッタ７２Ｌの開閉状態とを示す。また、図６には２つのフィールド（右目用フィールドＦ１、左目用フィールドＦ２）を示す。
【０１６０】
図６のシャッタ眼鏡７０の開閉状態を示す図では、透過率を用いて右目用シャッタ７２Ｒおよび左目用シャッタ７２Ｌの開閉状態を表している。透過率とは、シャッタが完全に開いた状態を透過率１００％（透過率が最大）とし、シャッタが完全に閉じた状態を透過率０％（透過率が最小）として、可視光を透過する割合を百分率で表したものである。図６のシャッタの開閉を示す図面において、縦軸はシャッタの透過率を相対的に表しており、横軸は時間を表している。
【０１６１】
本実施の形態において、シャッタ眼鏡７０のシャッタを閉じる際には、フィールドＦ１の全セル初期化動作の開始直前の時刻ｔ１において、それまで開いていた左目用シャッタ７２Ｌが完全に閉じ、左目用シャッタ７２Ｌおよび右目用シャッタ７２Ｒがともに透過率が０％になるように、シャッタを閉じるタイミングを設定することが望ましい。また、フィールドＦ２の全セル初期化動作の開始直前の時刻ｔ５において、それまで開いていた右目用シャッタ７２Ｒが完全に閉じ、左目用シャッタ７２Ｌおよび右目用シャッタ７２Ｒがともに透過率が０％になるように、シャッタを閉じるタイミングを設定することが望ましい。
【０１６２】
また、シャッタ眼鏡７０のシャッタを開く際には、フィールドＦ１の先頭サブフィールド（サブフィールドＳＦ１）の維持期間の開始直前の時刻ｔ３において、右目用シャッタ７２Ｒが完全に開き、右目用シャッタ７２Ｒの透過率が１００％になるように、シャッタを開くタイミングを設定することが望ましい。また、フィールドＦ２の先頭サブフィールド（サブフィールドＳＦ１）の維持期間の開始直前の時刻ｔ７において、左目用シャッタ７２Ｌが完全に開き、左目用シャッタ７２Ｌの透過率が１００％になるように、シャッタを開くタイミングを設定することが望ましい。
【０１６３】
しかし、本発明はシャッタの開閉動作が何らこの構成に限定されるものではない。
【０１６４】
シャッタ眼鏡７０においては、シャッタを閉じ始めてから完全に閉じるまでに、または、シャッタを開き始めてから完全に開くまでに、シャッタを構成する材料（例えば、液晶）の特性に応じた時間がかかる。例えば、液晶でシャッタを構成するシャッタ眼鏡の場合、シャッタを閉じ始めてから完全に閉じるまでに０．５ｍｓｅｃ程度の時間がかかり、シャッタを開き始めてから完全に開くまでに２ｍｓｅｃ程度の時間がかかることがある。
【０１６５】
そこで、本実施の形態では、シャッタを閉じる際には、全セル初期化動作の開始直前において、シャッタの透過率が３０％以下となるように、望ましくは１０％以下となるように、シャッタを閉じるタイミングを設定する。例えば、図６に示す例では、右目用フィールドＦ１の先頭サブフィールドであるサブフィールドＳＦ１における全セル初期化動作の開始直前の時刻ｔ１（時刻ｔ９も同様）において、左目用シャッタ７２Ｌの透過率が３０％以下となるように、望ましくは１０％以下となるように、シャッタを閉じるタイミングを設定する。また、左目用フィールドＦ２の先頭サブフィールドであるサブフィールドＳＦ１における全セル初期化動作の開始直前の時刻ｔ５において、右目用シャッタ７２Ｒの透過率が３０％以下となるように、望ましくは１０％以下となるように、シャッタを閉じるタイミングを設定する。
【０１６６】
このとき、シャッタを閉じ始めてから完全に閉じるまでに要する時間を考慮して、最終サブフィールドの維持期間における維持パルスの発生終了から先頭サブフィールドの全セル初期化動作開始までの時間を設定することが望ましい。例えば、図６に示す例では、少なくとも、右目用フィールドＦ１の最終サブフィールドであるサブフィールドＳＦ５の維持パルス発生終了直後の時刻ｔ４に右目用シャッタ７２Ｒを閉じ始めたときに、時刻ｔ５で右目用シャッタ７２Ｒの透過率が３０％以下になるように、望ましくは１０％以下となるように、時刻ｔ４から時刻ｔ５までの間隔を設ける。
【０１６７】
同様に、少なくとも、左目用フィールドＦ２の最終サブフィールドであるサブフィールドＳＦ５の維持パルス発生終了直後の時刻ｔ８に左目用シャッタ７２Ｌを閉じ始めたときに、続く右目用フィールドのサブフィールドＳＦ１における全セル初期化動作の開始直前の時刻ｔ９で左目用シャッタ７２Ｌの透過率が３０％以下になるように、望ましくは１０％以下となるように、時刻ｔ８から時刻ｔ９までの間隔を設ける。
【０１６８】
また、シャッタを開く際には、先頭サブフィールド（サブフィールドＳＦ１）の維持期間の開始直前において、シャッタの透過率が７０％以上となるように、望ましくは９０％以上となるように、シャッタを開くタイミングを設定する。例えば、図６に示す例では、右目用フィールドＦ１のサブフィールドＳＦ１における維持パルスの発生直前の時刻ｔ３において、右目用シャッタ７２Ｒの透過率が７０％以上となるように、望ましくは９０％以上となるように、シャッタを開くタイミングを設定する。また、左目用フィールドＦ２のサブフィールドＳＦ１における維持パルスの発生直前の時刻ｔ７において、左目用シャッタ７２Ｌの透過率が７０％以上となるように、望ましくは９０％以上となるように、シャッタを開くタイミングを設定する。
【０１６９】
このとき、シャッタを開き始めてから完全に開くまでに要する時間を考慮して、全セル初期化動作の終了から維持パルスの発生開始までの時間を設定することが望ましい。例えば、図６に示す例では、少なくとも、右目用フィールドＦ１のサブフィールドＳＦ１の全セル初期化動作終了直後の時刻ｔ２に右目用シャッタ７２Ｒを開き始めたときに、時刻ｔ３で右目用シャッタ７２Ｒの透過率が７０％以上になるように、望ましくは９０％以上となるように、時刻ｔ２から時刻ｔ３までの間隔を設ける。
【０１７０】
同様に、少なくとも、左目用フィールドＦ２のサブフィールドＳＦ１の全セル初期化動作終了直後の時刻ｔ６に左目用シャッタ７２Ｌを開き始めたときに、時刻ｔ７で左目用シャッタ７２Ｌの透過率が７０％以上になるように、望ましくは９０％以上となるように、時刻ｔ６から時刻ｔ７までの間隔を設ける。
【０１７１】
このように、本実施の形態では、シャッタを閉じ始めてから完全に閉じるまでに要する時間、および、シャッタを開き始めてから完全に開くまでに要する時間を考慮し、シャッタの開閉動作を制御する。
【０１７２】
図７は、本発明の実施の形態１におけるプラズマディスプレイ装置４０の走査電極駆動回路４３の一構成例を概略的に示す回路図である。
【０１７３】
走査電極駆動回路４３は、走査電極２２側の維持パルス発生回路５０と、初期化波形発生回路５１と、走査パルス発生回路５２とを備えている。走査パルス発生回路５２のそれぞれの出力はパネル１０の走査電極ＳＣ１〜走査電極ＳＣｎのそれぞれに接続されている。これは、書込み期間において各走査電極２２のそれぞれに個別に走査パルスを印加できるようにするためである。
【０１７４】
なお、本実施の形態では、走査パルス発生回路５２に入力される電圧を「基準電位Ａ」と記す。また、以下の説明においてスイッチング素子を導通する動作を「オン」、遮断する動作を「オフ」と表記し、スイッチング素子をオンする信号を「Ｈｉ」、オフする信号を「Ｌｏ」と表記する。
【０１７５】
また、図７には、負の電圧Ｖａを用いた回路（例えば、ミラー積分回路５４）が動作しているときに、その回路と、維持パルス発生回路５０および電圧Ｖｒを用いた回路（例えば、ミラー積分回路５３）、電圧Ｖｅｒｓを用いた回路（例えば、ミラー積分回路５５）とを電気的に分離するためのスイッチング素子Ｑ４を用いた分離回路を示している。また、電圧Ｖｒを用いた回路（例えば、ミラー積分回路５３）が動作しているときに、その回路と、電圧Ｖｒよりも低い電圧の電圧Ｖｅｒｓを用いた回路（例えば、ミラー積分回路５５）とを電気的に分離するためのスイッチング素子Ｑ６を用いた分離回路を示している。なお、走査電極駆動回路４３を構成する各回路は、制御信号発生回路４５が発生する制御信号によって制御され、走査パルス発生回路５２はさらに画像データによっても制御されるが、図７では、それら制御信号の信号経路の詳細は省略する。
【０１７６】
維持パルス発生回路５０は、一般に用いられている電力回収回路（図示せず）とクランプ回路（図示せず）とを備え、制御信号発生回路４５から出力される制御信号にもとづき内部に備えた各スイッチング素子を切り換えて維持パルスを発生する。このクランプ回路は、基準電位Ａをベース電位である０（Ｖ）にクランプすることができ、また、基準電位Ａを電圧Ｖｓにクランプすることができる。
【０１７７】
走査パルス発生回路５２は、ｎ本の走査電極ＳＣ１〜走査電極ＳＣｎのそれぞれに走査パルス電圧を印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。
【０１７８】
また、走査パルス発生回路５２は、書込み期間において基準電位Ａを負の電圧Ｖａに接続するためのスイッチング素子Ｑ５と、基準電位Ａに電圧Ｖｓｃｎを重畳した電圧Ｖｃを発生するための電源Ｖｓｃｎ、ダイオードＤｉ３１、コンデンサＣ３１とを備えている。そして、スイッチング素子ＱＨ１〜スイッチング素子ＱＨｎの入力端子ＩＮｂには電圧Ｖｃが接続され、スイッチング素子ＱＬ１〜スイッチング素子ＱＬｎの入力端子ＩＮａには基準電位Ａが接続されている。
【０１７９】
このように構成された走査パルス発生回路５２では、書込み期間においては、スイッチング素子Ｑ５をオンにして基準電位Ａを負の電圧Ｖａに等しくし、入力端子ＩＮａには負の電圧Ｖａを、入力端子ＩＮｂには電圧Ｖａ＋電圧Ｖｓｃｎとなった電圧Ｖｃを印加する。そして、画像データにもとづき、走査パルスを印加する走査電極ＳＣｉに対しては、スイッチング素子ＱＨｉをオフ、スイッチング素子ＱＬｉをオンにすることで、スイッチング素子ＱＬｉを経由して走査電極ＳＣｉに負の走査パルス電圧Ｖａを印加する。また、走査パルスを印加しない走査電極ＳＣｈ（ｈは、１〜ｎのうちｉを除いたもの）に対しては、スイッチング素子ＱＬｈをオフ、スイッチング素子ＱＨｈをオンにすることで、スイッチング素子ＱＨｈを経由して走査電極ＳＣｈに電圧Ｖａ＋電圧Ｖｓｃｎを印加する。
【０１８０】
なお、走査パルス発生回路５２は、初期化期間では初期化波形発生回路５１が発生する電圧波形を出力し、維持期間では維持パルス発生回路５０が発生する電圧波形を出力するように、制御信号発生回路４５によって制御される。
【０１８１】
初期化波形発生回路５１は、ミラー積分回路５３、ミラー積分回路５４、ミラー積分回路５５、および定電流発生回路６０、定電流発生回路６１を有する。なお、ミラー積分回路５３およびミラー積分回路５５は上昇する傾斜波形電圧を発生する傾斜波形電圧発生回路であり、ミラー積分回路５４は下降する傾斜波形電圧を発生する傾斜波形電圧発生回路である。また、図７には、定電流発生回路６０の入力端子を入力端子ＩＮ１、ミラー積分回路５５の入力端子を入力端子ＩＮ３、定電流発生回路６１の入力端子を入力端子ＩＮ２として示している。
【０１８２】
ミラー積分回路５５は、スイッチング素子Ｑ３とコンデンサＣ３と抵抗Ｒ３とを有し、維持期間の最後に、基準電位Ａをランプ電圧Ｌ１よりも急峻な勾配（例えば、１０Ｖ／μｓｅｃ）で電圧Ｖｅｒｓまで上昇して上り消去ランプ電圧Ｌ３を発生する。
【０１８３】
ミラー積分回路５３は、スイッチング素子Ｑ１とコンデンサＣ１と抵抗Ｒ１とを有する。そして、２Ｄ画像を表示する際の全セル初期化動作時においては、基準電位Ａを電圧Ｖｉ２までランプ状に緩やかに（例えば、１．３Ｖ／μｓｅｃの勾配で）上昇してランプ電圧Ｌ１を発生する。また、３Ｄ画像を表示する際の全セル初期化動作時においては、ランプ電圧Ｌ１よりも急峻な勾配（例えば、２．６Ｖ／μｓｅｃ）で基準電位Ａを電圧Ｖｉ２まで上昇してランプ電圧Ｌ１１を発生する。
【０１８４】
定電流発生回路６０は、入力端子ＩＮ１にコレクタが接続されたトランジスタＱ８と、入力端子ＩＮ１とトランジスタＱ８のベースとの間に挿入された抵抗Ｒ８と、抵抗Ｒ８にカソードが接続され抵抗Ｒ１にアノードが接続されたツェナーダイオードＤｉ８と、トランジスタＱ８のエミッタと抵抗Ｒ１との間に直列に接続された抵抗Ｒ１０とを有する。そして、入力端子ＩＮ１に所定の電圧（例えば、５（Ｖ））を印加することで、定電流を発生する。この定電流は、ミラー積分回路５３に入力され、ミラー積分回路５３は、この定電流が入力される期間、基準電位Ａの電位を上昇する。
【０１８５】
また、定電流発生回路６０は、ゲートを入力端子ＩＮ５とするスイッチング素子Ｑ２０を備える。スイッチング素子Ｑ２０は、入力端子ＩＮ５に印加する制御信号が「Ｈｉ」（例えば、５（Ｖ））のときにオンになり、「Ｌｏ」（例えば、０（Ｖ））のときにオフになる。そして、定電流発生回路６０は、スイッチング素子Ｑ２０のスイッチング操作により定電流発生回路６０から出力する定電流の電流値を変更する抵抗Ｒ１１を備えている。
【０１８６】
具体的には、抵抗Ｒ１１の一方の端子を抵抗Ｒ１０とトランジスタＱ８との接続点に接続し、他方の端子をスイッチング素子Ｑ２０のドレインに接続する。そして、スイッチング素子Ｑ２０のソースを抵抗Ｒ１１と抵抗Ｒ１との接続点に接続する。これにより、スイッチング素子Ｑ２０をオンにすることで、抵抗Ｒ１０と抵抗Ｒ１１とが電気的に並列に接続される。したがって、スイッチング素子Ｑ２０がオフのときよりも定電流発生回路６０から出力される定電流の電流値が大きくなる。これにより、ミラー積分回路５３から出力される傾斜波形電圧の勾配を大きくすることができる。
【０１８７】
このようにして、ミラー積分回路５３は、勾配が異なる２つの傾斜波形電圧、すなわち２Ｄ画像をパネル１０に表示するときに用いるランプ電圧Ｌ１と、３Ｄ画像をパネル１０に表示するときに用いるランプ電圧Ｌ１１とを発生することができる。すなわち、２Ｄ画像をパネル１０に表示するときには、制御信号発生回路４５から出力し入力端子ＩＮ５に印加する制御信号を「Ｌｏ」にしてランプ電圧Ｌ１を発生する。３Ｄ画像をパネル１０に表示するときには、入力端子ＩＮ５に印加する同制御信号を「Ｈｉ」にして、ランプ電圧Ｌ１よりも急峻な勾配のランプ電圧Ｌ１１を発生する。
【０１８８】
ミラー積分回路５４は、スイッチング素子Ｑ２とコンデンサＣ２と抵抗Ｒ２とを有する。そして、２Ｄ画像を表示する際の初期化動作時においては、基準電位Ａを電圧Ｖｉ４までランプ状に緩やかに（例えば、−２．５Ｖ／μｓｅｃの勾配で）下降してランプ電圧Ｌ２（または、ランプ電圧Ｌ４）を発生する。また、３Ｄ画像を表示する際の初期化動作時においては、ランプ電圧Ｌ２よりも急峻な勾配（例えば、−５．０Ｖ／μｓｅｃ）で基準電位Ａを電圧Ｖｉ４まで下降してランプ電圧Ｌ１２（または、ランプ電圧Ｌ１４）を発生する。
【０１８９】
定電流発生回路６１は、入力端子ＩＮ２にコレクタが接続されたトランジスタＱ９と、入力端子ＩＮ２とトランジスタＱ９のベースとの間に挿入された抵抗Ｒ９と、抵抗Ｒ９にカソードが接続され抵抗Ｒ２にアノードが接続されたツェナーダイオードＤｉ９と、トランジスタＱ９のエミッタと抵抗Ｒ２との間に直列に接続された抵抗Ｒ１２とを有する。そして、入力端子ＩＮ２に所定の電圧（例えば、５（Ｖ））を印加することで、定電流を発生する。この定電流は、ミラー積分回路５４に入力され、ミラー積分回路５４は、この定電流が入力される期間、基準電位Ａの電位を下降する。
【０１９０】
また、定電流発生回路６１は、ゲートを入力端子ＩＮ４とするスイッチング素子Ｑ２１を備える。スイッチング素子Ｑ２１は、入力端子ＩＮ４に印加する制御信号が「Ｈｉ」（例えば、５（Ｖ））のときにオンになり、「Ｌｏ」（例えば、０（Ｖ））のときにオフになる。そして、定電流発生回路６１は、スイッチング素子Ｑ２１のスイッチング操作により定電流発生回路６１から出力する定電流の電流値を変更する抵抗Ｒ１３を備えている。
【０１９１】
具体的には、抵抗Ｒ１３の一方の端子を抵抗Ｒ１２とトランジスタＱ９との接続点に接続し、他方の端子をスイッチング素子Ｑ２１のドレインに接続する。そして、スイッチング素子Ｑ２１のソースを抵抗Ｒ１２と抵抗Ｒ２との接続点に接続する。これにより、スイッチング素子Ｑ２１をオンにすることで、抵抗Ｒ１２と抵抗Ｒ１３とが電気的に並列に接続される。したがって、スイッチング素子Ｑ２１がオフのときよりも定電流発生回路６１から出力される定電流の電流値が大きくなる。これにより、ミラー積分回路５４から出力される傾斜波形電圧の勾配を大きくすることができる。
【０１９２】
このようにして、ミラー積分回路５４は、勾配が異なる２つの傾斜波形電圧、すなわち２Ｄ画像をパネル１０に表示するときに用いるランプ電圧Ｌ２と、３Ｄ画像をパネル１０に表示するときに用いるランプ電圧Ｌ１２とを発生することができる。すなわち、２Ｄ画像をパネル１０に表示するときには、制御信号発生回路４５から出力し入力端子ＩＮ４に印加する制御信号を「Ｌｏ」にしてランプ電圧Ｌ２を発生する。３Ｄ画像をパネル１０に表示するときには、入力端子ＩＮ４に印加する同制御信号を「Ｈｉ」にして、ランプ電圧Ｌ２よりも急峻な勾配のランプ電圧Ｌ１２を発生する。
【０１９３】
なお、各回路を制御する制御信号は、制御信号発生回路４５から供給される。
【０１９４】
以上示したように、本実施の形態においては、３Ｄ画像信号にもとづきパネル１０を駆動する際の全セル初期化動作においては、２Ｄ画像信号にもとづきパネル１０を駆動する際の全セル初期化動作時よりも急峻な勾配の傾斜波形電圧を発生する。これにより、３Ｄ画像信号にもとづきパネル１０を駆動する際に全セル初期化動作に要する時間を、２Ｄ画像信号にもとづきパネル１０を駆動する際に全セル初期化動作に要する時間よりも短縮することができる。そして、右目用フィールドの全セル初期化期間および左目用フィールドの全セル初期化期間は右目用シャッタ７２Ｒおよび左目用シャッタ７２Ｌがともに閉じた状態となるように、シャッタ眼鏡７０を制御する。これにより、パネル１０に表示される３Ｄ画像をシャッタ眼鏡７０を通して観賞する使用者に、全セル初期化動作によって発生する発光を観測されないようにすることができ、全セル初期化動作による発光分の輝度を低減した良好な黒輝度にしてコントラストを高めた３Ｄ画像を提供することが可能となる。
【０１９５】
なお、本実施の形態では、ランプ電圧Ｌ１１の勾配をランプ電圧Ｌ１の勾配の２倍とする構成を説明したが、ランプ電圧Ｌ１１の勾配は４．０Ｖ／μｓｅｃを上限に設定することが望ましい。すなわち、ランプ電圧Ｌ１１の勾配は、ランプ電圧Ｌ１の勾配よりも大きく、かつ、４．０Ｖ／μｓｅｃ以下の範囲に設定することが望ましい。これは、この上限値よりも勾配を急峻にすると、初期化動作時に強放電が発生し、初期化動作が過剰になって書込み動作が不安定になる可能性があるためである。ただし、本発明は何らこの数値に限定されるものではない。これらの数値はパネル１０の特性やプラズマディスプレイ装置４０の仕様等に応じて最適に設定することが望ましい。
【０１９６】
また、本実施の形態では、ランプ電圧Ｌ１２の勾配をランプ電圧Ｌ２の２倍とする構成を説明したが、ランプ電圧Ｌ１２の勾配は、ランプ電圧Ｌ２の勾配の２倍（もしくは、−５Ｖ／μｓｅｃ）を上限に設定することが望ましい。すなわち、ランプ電圧Ｌ１２の勾配は、ランプ電圧Ｌ２の勾配よりも大きく、かつ、ランプ電圧Ｌ２の勾配の２倍以下の範囲に設定することが望ましい。全セル初期化動作時における下りの傾斜波形電圧は、放電セル内の壁電荷およびプライミング粒子を調整する働きを持っている。そして、ランプ電圧Ｌ１２の勾配をこの上限値よりも急峻にすると、それらの働きが過剰になって書込み動作が不安定になる可能性があるためである。ただし、本発明は何らこの数値に限定されるものではない。これらの数値はパネル１０の特性やプラズマディスプレイ装置４０の仕様等に応じて最適に設定することが望ましい。
【０１９７】
なお、本実施の形態では、３Ｄ駆動時における電圧Ｖｉ２と２Ｄ駆動時における電圧Ｖｉ２とを互いに等しい電圧値に設定する構成を説明したが、これらの電圧値は互いに異なる値であってもよい。
【０１９８】
（実施の形態２）
実施の形態１では、ランプ電圧Ｌ１１の勾配をランプ電圧Ｌ１の勾配よりも急峻にし、ランプ電圧Ｌ１２の勾配をランプ電圧Ｌ２の勾配よりも急峻にして３Ｄ駆動時の全セル初期化動作を行う構成を説明した。しかし、本発明は何らこの構成に限定されるものではない。
【０１９９】
全セル初期化動作において、上り傾斜波形電圧による放電は、放電セル内に壁電荷およびプライミング粒子を発生する働きを有する。したがって、パネル１０の特性やプラズマディスプレイ装置４０の仕様等によっては、上り傾斜波形電圧の勾配が急峻になることで強放電が発生し、壁電荷およびプライミング粒子が過剰に発生して、続く書込み動作が不安定になる可能性がある。そこで、壁電荷およびプライミング粒子を適正に発生して続く書込み動作を安定にするために、ランプ電圧Ｌ１１の勾配をランプ電圧Ｌ１の勾配と同等にし、ランプ電圧Ｌ１２の勾配だけをランプ電圧Ｌ２の勾配よりも急峻にする構成としてもよい。
【０２００】
そのような構成のときには、３Ｄ画像をパネル１０に表示するときに、入力端子ＩＮ５に印加する制御信号は「Ｌｏ」にしてランプ電圧Ｌ１１の勾配をランプ電圧Ｌ１の勾配と同等にし、入力端子ＩＮ４に印加する制御信号は「Ｈｉ」にしてランプ電圧Ｌ１２の勾配をランプ電圧Ｌ２の勾配よりも急峻にして３Ｄ駆動時の全セル初期化動作を行う。
【０２０１】
また、全セル初期化動作において、下り傾斜波形電圧による放電は、上り傾斜波形電圧による放電によって放電セル内に発生した壁電荷およびプライミング粒子を調整する働きを有する。したがって、パネル１０の特性やプラズマディスプレイ装置４０の仕様等によっては、下り傾斜波形電圧の勾配が急峻になることで強放電が発生し、壁電荷およびプライミング粒子を調整する働きが過剰になって、続く書込み動作が不安定になる可能性がある。そこで、壁電荷およびプライミング粒子を調整する働きを適正にして続く書込み動作を安定にするために、ランプ電圧Ｌ１２の勾配をランプ電圧Ｌ２の勾配と同等にし、ランプ電圧Ｌ１１の勾配だけをランプ電圧Ｌ１の勾配よりも急峻にする構成としてもよい。
【０２０２】
そのような構成のときには、３Ｄ画像をパネル１０に表示するときに、入力端子ＩＮ４に印加する制御信号は「Ｌｏ」にしてランプ電圧Ｌ１２の勾配をランプ電圧Ｌ２の勾配と同等にし、入力端子ＩＮ５に印加する制御信号は「Ｈｉ」にしてランプ電圧Ｌ１１の勾配をランプ電圧Ｌ１の勾配よりも急峻にして３Ｄ駆動時の全セル初期化動作を行う。
【０２０３】
なお、上述したいずれの構成においても、３Ｄ駆動時における全セル初期化期間の長さは、実施の形態１に示した構成と比較して長くなる。したがって、右目用シャッタ７２Ｒ（または左目用シャッタ７２Ｌ）が開いたときに、前フィールドから現フィールドに漏れ込む残光がその分だけ減衰しているので、クロストークを低減する効果を高めることができる。
【０２０４】
なお、図４、図５、図６に示した駆動電圧波形は本発明の実施の形態における一例を示したものに過ぎず、本発明は何らこれらの駆動電圧波形に限定されるものではない。また、図７に示した回路構成も本発明の実施の形態における一例を示したものに過ぎず、本発明は何らこの回路構成に限定されるものではない。
【０２０５】
なお、図５には、サブフィールドＳＦ５の終了後からサブフィールドＳＦ１の開始前までの間に、下り傾斜波形電圧を発生して走査電極ＳＣ１〜走査電極ＳＣｎに印加する例を示したが、これらの電圧は発生せずともよい。例えば、サブフィールドＳＦ５の終了後からサブフィールドＳＦ１の開始前までの間は、走査電極ＳＣ１〜走査電極ＳＣｎ、維持電極ＳＵ１〜維持電極ＳＵｎ、データ電極Ｄ１〜データ電極Ｄｍをともに０（Ｖ）に保持する構成であってもよい。
【０２０６】
なお、本発明の実施の形態においては、２Ｄ駆動時においては１つのフィールドを８つのサブフィールドで構成し、３Ｄ駆動時においては１つのフィールドを５つのサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。
【０２０７】
また、本発明の実施の形態においては、サブフィールドの輝度重みを「２」のべき乗とし、例えば、２Ｄ駆動時においてはサブフィールドＳＦ１〜サブフィールドＳＦ８の各サブフィールドの輝度重みを（１、２、４、８、１６、３２、６４、１２８）に設定し、３Ｄ駆動時においてはサブフィールドＳＦ１〜サブフィールドＳＦ５の各サブフィールドの輝度重みを（１６、８、４、２、１）に設定する例を説明した。しかし、各サブフィールドに設定する輝度重みは、何ら上記の数値に限定されるものではない。例えば、３Ｄ駆動時においてサブフィールドＳＦ１〜サブフィールドＳＦ５の各サブフィールドの輝度重みを（１２、７、３、２、１）等として階調を決めるサブフィールドの組合せに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置４０の仕様等に応じて適宜設定すればよい。
【０２０８】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２０９】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０２１０】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２１１】
本発明は、３Ｄ画像表示装置として使用可能なプラズマディスプレイ装置において、３Ｄ画像を表示する際のパネルの駆動に要する時間を短縮しつつ、良好なコントラストの３Ｄ画像を実現することができるので、プラズマディスプレイ装置やプラズマディスプレイシステム、加えてパネルの駆動方法やプラズマディスプレイ装置用シャッタ眼鏡の制御方法として有用である。
【符号の説明】
【０２１２】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    制御信号発生回路
４６    タイミング信号出力部
５０    維持パルス発生回路
５１    初期化波形発生回路
５２    走査パルス発生回路
５３，５４，５５    ミラー積分回路
６０，６１    定電流発生回路
７０    シャッタ眼鏡
７２Ｒ    右目用シャッタ
７２Ｌ    左目用シャッタ
Ｑ１，Ｑ２，Ｑ３，Ｑ４，Ｑ５，Ｑ６，Ｑ２０，Ｑ２１，ＱＨ１〜ＱＨｎ，ＱＬ１〜ＱＬｎ    スイッチング素子
Ｃ１，Ｃ２，Ｃ３，Ｃ３１    コンデンサ
Ｄｉ３１    ダイオード
Ｄｉ８，Ｄｉ９    ツェナーダイオード
Ｒ１，Ｒ２，Ｒ３，Ｒ８，Ｒ９，Ｒ１０，Ｒ１１，Ｒ１２，Ｒ１３    抵抗
Ｑ８，Ｑ９    トランジスタ
Ｌ１，Ｌ２，Ｌ４，Ｌ１１，Ｌ１２，Ｌ１４    ランプ電圧
Ｌ３    消去ランプ電圧
【図１】
2011111388.tif 000003
【図２】
2011111388.tif 000004
【図３】
2011111388.tif 000005
【図４】
2011111388.tif 000006
【図５】
2011111388.tif 000007
【図６】
2011111388.tif 000008
【図７】
2011111388.tif 000009
【手続補正書】
【提出日】平成24年3月6日(2012.3.6)
【手続補正１】
【補正対象書類名】明細書
【補正対象項目名】００４８
【補正方法】変更
【補正の内容】
【００４８】
また、入力される画像信号が、右目用画像信号と左目用画像信号とを有する立体視用の３Ｄ画像信号であり、その３Ｄ画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【国際調査報告】
2011111388.tif 000010
2011111388.tif 000011
2011111388.tif 000012
2011111388.tif 000013